(57)【要約】      （修正有）【課題】  販売する商品のリッチコンテンツ情報を店舗が容易に得られる商品情報提供装置及び商品情報提供方法を提供する。【解決手段】  商品情報管理サーバは、店舗端末装置から送信された商品名情報を含むリッチコンテンツ管理サーバ検索要求情報をサーバ検索サーバに送信する。サーバ検索サーバは、リッチコンテンツ管理サーバ検索要求情報に含まれている商品名情報に対応するリッチコンテンツ情報を管理しているリッチコンテンツ管理サーバのサーバ識別情報をサーバ情報データベースから検索して商品情報管理サーバに送信する。商品情報管理サーバは、店舗端末装置から、商品情報登録要求情報を受信すると、受信した商品情報登録要求情報に含まれている商品名情報、サーバ検索サーバから受信したサーバ識別情報、当該サーバ識別情報に基づいて付与したリッチコンテンツ情報識別情報を含む商品情報を商品情報データベースに商品識別情報に対応させて記憶させる。【選択図】    図１
2006119964.tif 000002
【特許請求の範囲】
【請求項１】
店舗端末装置と、商品情報管理サーバと、商品情報記憶装置と、複数の商品関連情報管理サーバと、各商品関連情報管理サーバに対応して設けられた商品関連情報記憶装置と、サーバ検索サーバと、サーバ情報記憶装置を備え、
前記商品情報記憶装置は、商品の商品名情報、当該商品の商品関連情報を示す商品関連情報識別情報、当該商品関連情報を管理している商品関連情報管理サーバを示すサーバ識別情報を含む商品情報を、当該商品を示す商品識別情報に対応させて記憶する商品情報データベースを有し、
前記商品関連情報記憶装置は、商品の商品関連情報を記憶し、
前記サーバ情報記憶装置は、前記各商品関連情報管理サーバが管理している商品関連情報に係る商品の商品名情報を、当該商品関連情報管理サーバを示すサーバ識別情報に対応させて記憶し、
前記店舗端末装置は、
店舗側入力手段と、
店舗側送信手段と
店舗端末処理手段を有し、
前記店舗端末処理手段は、前記店舗側入力手段により入力された商品名情報を含む商品関連情報検索要求情報を前記店舗側送信手段から前記商品情報管理サーバに送信し、また、前記店舗側入力手段により入力された商品名情報を含む商品情報登録要求情報を前記店舗側送信手段から前記商品情報管理サーバに送信し、
前記商品情報管理サーバは、
商品管理側受信手段と、
商品管理側送信手段と、
商品情報管理手段を有し、
前記商品情報管理手段は、
前記店舗端末装置から送信された商品関連情報検索要求情報を前記商品管理側受信手段で受信すると、前記受信した商品関連情報検索要求情報に含まれている商品名情報を含む商品関連情報管理サーバ検索要求情報を前記商品管理側送信手段から前記サーバ検索サーバに送信し、
前記サーバ検索サーバから送信されたサーバ識別情報を前記商品管理側受信手段で受信すると、前記受信したサーバ識別情報に基づいて商品関連情報識別情報を付与し、
前記店舗端末装置から送信された商品情報登録要求情報を前記商品管理側受信手段で受信すると、前記受信した商品情報登録要求情報に含まれている商品名情報と、前記受信したサーバ識別情報と、前記付与した商品関連情報識別情報を含む商品情報を、前記商品情報記憶装置の商品情報データベースに商品識別情報に対応させて記憶し、
購入者端末装置から送信された、商品識別情報を含む商品情報送信要求情報を前記商品管理側受信手段で受信すると、前記受信した商品情報送信要求情報に含まれている商品識別情報に対応する商品名情報と商品関連情報識別情報を前記商品情報記憶装置の商品情報データベースから読み出し、前記読み出した商品名情報と商品関連情報識別情報を含む商品画面情報を、前記商品情報送信要求情報を送信した購入者端末装置に前記商品管理側送信手段から送信し、
購入者端末装置から送信された、商品関連情報識別情報を含む商品関連情報送信要求情報を前記商品管理側受信手段で受信すると、前記受信した商品関連情報送信要求情報に含まれている商品関連情報識別情報に対応する商品名情報とサーバ識別情報を前記商品情報記憶装置の商品情報データベースから読み出し、前記読み出した商品名情報と、前記商品関連情報送信要求情報を送信した購入者端末装置を示す購入者端末装置識別情報を含む商品関連情報送信要求情報を、前記読み出したサーバ識別情報で示される商品関連情報管理サーバに前記商品管理側送信手段から送信し、
前記サーバ検索サーバは、
サーバ検索側受信手段と、
サーバ検索側送信手段と、
サーバ検索処理手段を有し、
前記サーバ検索処理手段は、前記商品情報管理サーバから送信された商品関連情報管理サーバ検索要求情報を前記サーバ検索側受信手段で受信すると、前記受信した商品関連情報管理サーバ検索要求情報に含まれている商品名情報で示される商品に係る商品関連情報を管理している商品関連情報管理サーバのサーバ識別情報を前記サーバ情報記憶装置に記憶されているサーバ識別情報の中から検索し、前記検索したサーバ識別情報を前記サーバ検索側送信手段から前記商品情報管理サーバに送信し、
前記商品関連情報管理サーバは、
商品関連情報管理側受信手段と、
商品関連情報管理側送信手段と、
商品関連情報管理手段を有し、
前記商品関連情報管理手段は、前記商品情報管理サーバから送信された商品関連情報送信要求情報を前記商品関連情報管理側受信手段で受信すると、前記受信した商品関連情報送信要求情報に含まれている商品名情報で示される商品に係る商品関連情報を前記商品関連情報記憶装置から読み出し、前記読み出した商品関連情報を、前記受信した商品関連情報送信要求情報に含まれている購入者端末装置識別情報で示される購入者端末装置に前記商品関連情報管理側送信手段から送信する、
ことを特徴とする商品情報提供装置。
【請求項２】
店舗端末装置と、商品情報管理サーバと、商品情報記憶装置と、複数の商品関連情報管理サーバと、各商品関連情報管理サーバに対応して設けられた商品関連情報記憶装置と、サーバ検索サーバと、サーバ情報記憶装置と、Ｗｅｂサーバを備え、
前記商品情報記憶装置は、商品の商品名情報、当該商品の商品関連情報を示す商品関連情報識別情報、当該商品関連情報を管理している商品関連情報管理サーバを示すサーバ識別情報を含む商品情報を、当該商品を示す商品識別情報に対応させて記憶する商品情報データベースを有し、
前記商品関連情報記憶装置は、商品に関連する商品関連情報を記憶し、
前記サーバ情報記憶装置は、前記各商品関連情報管理サーバが管理している商品関連情報に係る商品の商品名情報を、当該商品関連情報管理サーバを示すサーバ識別情報に対応させて記憶し、
前記店舗端末装置は、
店舗側入力手段と、
店舗側送信手段と
店舗端末処理手段を有し、
前記店舗端末処理手段は、前記店舗側入力手段により入力された商品名情報を含む商品関連情報検索要求情報を前記店舗側送信手段から前記商品情報管理サーバに送信し、また、前記店舗側入力手段により入力された商品名情報を含む商品情報登録要求情報を前記店舗側送信手段から前記商品情報管理サーバに送信し、
前記商品情報管理サーバは、
商品管理側受信手段と、
商品管理側送信手段と、
商品情報管理手段を有し、
前記商品情報管理手段は、
前記店舗端末装置から送信された商品関連情報検索要求情報を前記商品管理側受信手段で受信すると、前記受信した商品関連情報検索要求情報に含まれている商品名情報を含む商品関連情報管理サーバ検索要求情報を前記商品管理側送信手段から前記サーバ検索サーバに送信し、
前記サーバ検索サーバから送信されたサーバ識別情報を前記商品管理側受信手段で受信すると、前記受信したサーバ識別情報に基づいて商品関連情報識別情報を付与し、
前記店舗端末装置から送信された商品情報登録要求情報を前記商品管理側受信手段で受信すると、前記受信した商品情報登録要求情報に含まれている商品名情報と、前記受信したサーバ識別情報と、前記付与した商品関連情報識別情報を含む商品情報を、前記商品情報記憶装置の商品情報データベースに商品識別情報に対応させて記憶し、
前記Ｗｅｂサーバから送信された、商品識別情報を含む商品情報送信要求情報を前記商品管理側受信手段で受信すると、前記受信した商品情報送信要求情報に含まれている商品識別情報に対応する商品名情報と商品関連情報識別情報を前記商品情報記憶装置の商品情報データベースから読み出し、前記読み出した商品名情報と商品関連情報識別情報を前記Ｗｅｂサーバに前記商品管理側送信手段から送信し、
前記Ｗｅｂサーバから送信された、商品関連情報識別情報を含む商品関連情報送信要求情報を前記商品管理側受信手段で受信すると、前記受信した商品関連情報送信要求情報に含まれている商品関連情報識別情報に対応する商品名情報とサーバ識別情報を前記商品情報記憶装置の商品情報データベースから読み出し、前記読み出した商品名情報とサーバ識別情報を前記商品管理側送信手段から前記Ｗｅｂサーバに送信し、
前記サーバ検索サーバは、
サーバ検索側受信手段と、
サーバ検索側送信手段と、
サーバ検索処理手段を有し、
前記サーバ検索処理手段は、前記商品情報管理サーバから送信された商品関連情報管理サーバ検索要求情報を前記サーバ検索側受信手段で受信すると、前記受信した商品関連情報管理サーバ検索要求情報に含まれている商品名情報で示される商品に係る商品関連情報を管理している商品関連情報管理サーバのサーバ識別情報を前記サーバ情報記憶装置に記憶されているサーバ識別情報の中から検索し、前記検索したサーバ識別情報を前記サーバ検索側送信手段から前記商品情報管理サーバに送信し、
前記Ｗｅｂサーバは、
Ｗｅｂ側受信手段と、
Ｗｅｂ側送信手段と、
Ｗｅｂサイト管理手段を有し、
前記Ｗｅｂサイト管理手段は、
購入者端末装置から送信された、商品識別情報を含む商品情報送信要求情報を前記Ｗｅｂ側受信手段で受信すると、前記受信した商品情報送信要求情報に含まれている商品識別情報を含む商品情報送信要求情報を、前記Ｗｅｂサイト側送信手段から前記商品情報管理サーバに送信し、
前記商品情報管理手段から送信された商品名情報と商品関連情報識別情報を前記Ｗｅ側受信手段で受信すると、前記受信した商品名情報と商品関連情報識別情報を含む商品画面情報を、前記商品情報送信要求情報を送信した購入者端末装置に前記Ｗｅｂ側送信手段から送信し、
購入者端末装置から送信された、商品関連情報識別情報を含む商品関連情報送信要求情報を前記Ｗｅｂ側受信手段で受信すると、前記受信した商品関連情報送信要求情報に含まれている商品関連情報識別情報を含む商品関連情報送信要求情報を前記Ｗｅｂ側送信手段から前記商品情報管理サーバに送信し、
前記商品情報管理サーバから送信された商品名情報とサーバ識別情報を前記Ｗｅｂ側受信手段で受信すると、前記受信した商品名情報と、前記受信した商品関連情報送信要求情報を送信した購入者端末装置を示す購入者端末装置識別情報を含む商品関連情報送信要求情報を、前記受信したサーバ識別情報で示される商品関連情報管理サーバに前記Ｗｅｂ側送信手段から送信し、
前記商品関連情報管理サーバは、
商品関連情報管理側受信手段と、
商品関連情報管理側送信手段と、
商品関連情報管理手段を有し、
前記商品関連情報管理手段は、前記Ｗｅｂサーバから送信された商品関連情報送信要求情報を前記商品関連情報管理側受信手段で受信すると、前記受信した商品関連情報送信要求情報に含まれている商品名情報で示される商品に係る商品関連情報を前記商品関連情報記憶装置から読み出し、前記読み出した商品関連情報を、前記受信した商品関連情報送信要求情報に含まれている購入者端末装置識別情報で示される購入者端末装置に前記商品関連情報管理側送信手段から送信する、
ことを特徴とする商品情報提供装置。
【請求項３】
請求項1または２に記載の商品情報提供装置であって、
前記商品情報管理サーバの商品情報管理手段は、
前記サーバ検索サーバから送信されたサーバ識別情報を前記商品管理側受信手段で受信すると、前記受信した商品関連情報検索要求情報に含まれている商品名情報と、前記受信した商品関連情報検索要求情報を送信した店舗端末装置を示す店舗端末装置識別情報を含む商品関連情報送信要求情報を、前記受信したサーバ識別情報で示される商品関連情報管理サーバに前記商品管理側送信手段から送信し、
前記商品関連情報送信要求情報を前記商品関連情報管理サーバに送信した後、前記店舗端末装置から送信された商品情報登録要求情報を前記商品管理側受信手段で受信すると、前記受信した商品情報登録要求情報に含まれている商品名情報と、前記受信したサーバ識別情報と、前記付与した商品関連情報識別情報を含む商品情報を、前記商品情報記憶装置の商品情報データベースに商品識別情報に対応させて記憶し、
前記商品関連情報管理サーバの商品関連情報管理手段は、前記商品情報管理手段から送信された商品関連情報送信要求情報を受信すると、前記受信した商品関連情報送信要求情報に含まれている商品名情報で示される商品に係る商品関連情報を前記商品関連情報記憶装置から読み出し、前記読み出した商品関連情報を、前記受信した商品関連情報送信要求情報に含まれている店舗端末装置識別情報で示される店舗端末装置に前記商品関連情報管理側送信手段から送信し、
前記店舗端末装置は、表示手段を有し、
前記店舗端末装置の店舗端末処理手段は、前記商品関連情報管理サーバから送信された商品関連情報を受信すると、前記受信した商品関連情報を前記表示手段に表示する、
ことを特徴とする商品情報提供装置。
【請求項４】
請求項１〜３のいずれかに記載の商品情報提供装置であって、
商品関連情報作成サーバを備え、
前記店舗端末装置の店舗端末処理手段は、前記店舗側入力手段で入力された商品名情報と商品関連情報作成情報を前記商品関連情報作成サーバに前記店舗側送信手段から送信し、
前記商品関連情報作成サーバは、
商品関連情報作成側受信手段と、
商品関連情報作成側送信手段と、
商品関連情報作成手段と、
商品関連情報作成管理手段を有し、
前記商品関連情報作成管理手段は、前記店舗端末装置から送信された商品名情報と商品関連情報作成情報を前記商品関連情報作成側受信手段で受信し、前記受信した商品関連情報作成情報を用いて前記商品関連情報作成手段により商品関連情報を作成し、前記作成した商品関連情報と前記受信した商品名情報を含む商品関連情報登録要求情報を前記商品関連情報管理サーバのいずれかに送信し、
前記商品関連情報管理サーバの商品関連情報管理手段は、前記商品関連情報作成サーバから送信された商品関連情報登録要求情報を受信すると、前記受信した商品関連情報登録要求情報に含まれている商品名情報と商品関連情報を前記商品関連情報記憶装置に記憶する、
ことを特徴とする商品情報提供装置。
【請求項５】
請求項４に記載の商品情報提供装置であって、
前記サーバ情報記憶装置は、商品関連情報作成サーバが作成する商品関連情報に係る商品の商品名情報を、当該商品関連情報作成サーバを示すサーバ識別情報に対応させて記憶し、
前記店舗端末装置の店舗端末処理手段は、
前記店舗側入力手段で入力された商品名情報を含む商品関連情報作成サーバ検索要求情報を前記店舗側送信手段から前記サーバ検索サーバに送信し、
前記サーバ検索サーバから送信されたサーバ識別情報を受信すると、前記受信したサーバ識別情報で示される商品関連情報作成サーバに前記店舗側入力手段で入力された商品名情報と商品関連情報作成情報を前記店舗側送信手段から送信し、
前記検索サーバのサーバ検索処理手段は、前記店舗端末装置から送信された商品関連情報作成サーバ検索要求情報を前記サーバ検索側受信手段で受信すると、前記受信した商品関連情報作成サーバ検索要求情報に含まれている商品名情報で示される商品の商品関連情報を作成する商品関連情報作成サーバのサーバ識別情報を前記サーバ情報記憶装置に記憶されているサーバ識別情報の中から検索し、検索したサーバ識別情報を前記商品関連情報作成サーバ検索要求情報を送信した店舗端末装置に前記サーバ検索側送信手段から送信する、
ことを特徴とする商品情報提供装置。
【請求項６】
店舗端末装置からの登録要求により登録された商品情報を購入者端末装置に提供する商品情報提供方法であって、
商品名情報を含む商品関連情報検索要求情報を、前記店舗端末装置から商品情報管理サーバに送信し、
前記商品関連情報検索要求情報に含まれている商品名情報を含む商品関連情報管理サーバ検索要求情報を、前記商品情報管理サーバからサーバ検索サーバに送信し、
商品関連情報管理サーバが管理している商品関連情報に係る商品の商品名情報と当該商品関連情報管理サーバを示すサーバ識別情報を記憶しているサーバ情報記憶装置の記憶情報に基づいて、前記サーバ検索サーバにより、前記商品関連情報管理サーバ検索要求情報に含まれている商品名情報で示される商品に係る商品関連情報を管理している商品関連情報管理サーバのサーバ識別情報を検索し、検索したサーバ識別情報を前記サーバ検索サーバから前記商品情報管理サーバに送信し、
商品名情報を含む商品情報登録要求情報を、前記店舗端末装置から前記商品情報管理サーバに送信し、
前記商品情報管理サーバにより、前記商品情報登録要求情報に含まれている商品名情報と、前記サーバ検索サーバが検索したサーバ識別情報と、当該サーバ識別情報に対して付与した商品関連情報識別情報を、前記商品情報管理サーバが管理している商品情報記憶装置に記憶し、
購入者端末装置から商品関連情報送信要求情報が送信されると、前記商品関連情報送信要求情報に含まれている商品関連情報識別情報に対応する商品名情報とサーバ識別情報を前記商品情報記憶装置から読み出し、前記読み出した商品名情報と前記商品関連情報送信要求情報を送信した購入者端末装置を示す購入者端末装置識別情報を含む商品関連情報送信要求情報を、前記読み出したサーバ識別情報で示される商品関連情報管理サーバに送信し、
前記商品関連情報送信要求情報に含まれている商品名情報で示される商品に係る商品関連情報を、前記商品関連情報送信要求情報を受信した商品関連情報管理サーバから、前記商品関連情報送信要求情報に含まれている購入者端末装置識別情報で示される購入者端末装置に送信する、
ことを特徴とする商品情報提供方法。
【発明の詳細な説明】
【技術分野】
【０００１】
本発明は、店舗が販売する商品の商品情報を、携帯電話機やパソコン等の端末装置に提供（配信）可能な商品情報提供装置及び商品情報提供方法に関する。
【背景技術】
【０００２】
インターネットの普及により、インターネットを介した商品取引（「電子取引」という）が行われている。このような電子取引を行う場合、店舗は、Ｗｅｂサイト（「ホームページ」）を開設する。そして、店舗は、店舗が販売する商品の商品名、商品価格、商品の写真等の商品情報をＷｅｂサイトに掲載する。顧客（消費者）は、パソコンや携帯電話機等の端末装置用いてＷｅｂサイトにアクセスし（Ｗｅｂサイト画面を閲覧し）、希望する商品を選択し、支払方法や配達方法等を設定することによって商品の購入手続を行う。
なお、商店街のＷｅｂサイトを開設し、この商店街のＷｅｂサイトに、複数の店舗が販売している商品の商品情報を掲載するようにした電子取引システムも提案されている。（特許文献１参照）
【特許文献１】特開２００４−４６６８２号公報
【発明の開示】
【発明が解決しようとする課題】
【０００３】
近年、Ｗｅｂサイトの魅力を向上させるために、商品関連情報として、アニメーション画像、３Ｄ画像や動画等の使用が要望されている。これらの、アニメーション画像、３Ｄ画像や動画等を表示するための情報は、テキスト情報や写真情報に比べてデータ量が多く、「リッチコンテンツ情報」と呼ばれている。
ここで、Ｗｅｂサイトを管理するＷｅｂサーバにリッチコンテンツ情報を記憶するためには、大容量の記憶装置が必要となり、Ｗｅｂサイトの管理コストが高くなる。
また、リッチコンテンツ情報を作成するには専門知識を要するため、店舗がリッチコンテンツ情報を利用する場合にはリッチコンテンツ作成事業者に依頼することになる。しかしながら、リッチコンテンツ作成事業者は、得意とする商品の分野や得意とするリッチコンテンツ情報の種類を有している。このため、店舗は、販売する商品のリッチコンテンツ情報を得るのが困難である。
そこで、本発明が解決しようとする課題は、Ｗｅｂサイトの管理コストを抑えながら、店舗が、販売する商品の商品関連情報をＷｅｂサイトに容易に掲載することができる商品情報提供装置及び商品情報提供方法を提供することである。
【課題を解決するための手段】
【０００４】
前記課題を解決するための本発明の第1発明は、請求項１に記載された構成を備える商品情報提供装置である。
本発明は、店舗端末装置と、商品情報管理サーバと、商品情報記憶装置と、複数の商品関連情報管理サーバと、各商品関連情報管理サーバに対応して設けられた商品関連情報記憶装置と、サーバ検索サーバと、サーバ情報記憶装置を備えている。
商品情報記憶装置は、商品名情報、商品関連情報を示す商品関連情報識別情報、商品関連情報を管理している商品関連情報管理サーバを示すサーバ識別情報を含む商品情報を商品識別情報に対応させて記憶する商品情報データベースを有している。
商品関連情報記憶装置には、商品関連情報が記憶されている。
サーバ情報記憶装置には、各商品関連情報管理サーバが管理している商品関連情報に係る商品名情報が、各商品関連情報管理サーバを示すサーバ識別情報に対応させて記憶されている。
店舗端末装置は、入力された商品名情報を含む商品関連情報検索要求情報や入力された商品名情報を含む商品情報登録要求情報を商品情報管理サーバに送信する。
商品情報管理サーバは、店舗端末装置から受信した商品関連情報検索要求情報に含まれている商品名情報を含む商品関連情報管理サーバ検索要求情報をサーバ検索サーバに送信し、サーバ検索サーバから受信したサーバ識別情報に基づいて商品関連情報識別情報を付与する。そして、店舗端末装置から受信した商品情報登録要求情報に含まれている商品名情報と、サーバ検索サーバから受信したサーバ識別情報と、付与した商品関連情報識別情報を含む商品情報を、商品情報データベースに商品識別情報に対応させて記憶する。
また、商品情報管理サーバは、購入者端末装置から受信した商品情報送信要求情報に含まれている商品識別情報に対応する商品名情報と商品関連情報識別情報を商品情報データベースから読み出し、読み出した商品名情報と商品関連情報識別情報を含む商品画面情報を、商品情報送信要求情報を送信した購入者端末装置に送信する。
さらに、商品情報管理サーバは、購入者端末装置から受信した商品関連情報送信要求情報に含まれている商品関連情報識別情報に対応する商品名情報とサーバ識別情報を商品情報データベースから読み出し、読み出した商品名情報と、商品関連情報送信要求情報を送信した購入者端末装置を示す購入者端末装置識別情報を含む商品関連情報送信要求情報を、読み出したサーバ識別情報で示される商品関連情報管理サーバに送信する。
サーバ検索サーバは、商品情報管理サーバから受信した商品関連情報管理サーバ検索要求情報に含まれている商品名情報に対応する商品関連情報を管理している商品関連情報管理サーバのサーバ識別情報を、サーバ情報記憶装置に記憶されているサーバ識別情報の中から検索し、検索したサーバ識別情報を商品情報管理サーバに送信する。
商品関連情報管理サーバは、商品情報管理サーバから受信した商品関連情報送信要求情報に含まれている商品名情報に対応する商品関連情報を商品関連情報データベースから読み出し、読み出した商品関連情報を、商品関連情報送信要求情報に含まれている購入者端末装置識別情報で示される購入者端末装置に送信する。
「商品関連情報」としては、商品に関連する情報、好適には、商品の外観や内部の状態、商品の使用方法等を表示する「商品詳細情報」が用いられる。また、「商品関連情報」として用いられる「商品詳細情報」としては、写真情報に比べて情報量が多く、広告効果が高い、アニメーション画像情報、３Ｄ画像情報、動画情報等のいわゆる「リッチコンテンツ情報」を用いるのが好ましい。
「商品関連情報識別情報」としては、店舗が登録した商品関連情報を識別可能な情報、例えば、商品関連情報ＩＤが用いられる。商品関連情報識別情報として商品名情報を用いることもできるが、登録した店舗を判別可能な商品名情報を用いる必要がある。
「サーバ識別情報」としては、商品関連情報管理サーバ及び当該商品関連情報管理サーバが管理している商品関連情報を識別可能な情報、例えば、サーバのアドレス情報等が用いられる。
「商品識別情報」としては、商品を識別可能な情報、例えば、商品ＩＤや商品名情報等が用いられる。
「商品情報データベース」や「サーバ情報記憶装置」には、商品名情報に加えて他の情報、例えば、商品の分類情報（カテゴリ情報）、商品関連情報の種別情報（例えば、３Ｄ画像や動画）等を記憶することもできる。この場合、商品名情報とこれらの情報を用いて、商品関連情報を管理している商品関連情報管理サーバのサーバ識別情報を検索することができる。
商品名情報に基づいてサーバ検索サーバで検索したサーバ識別情報を商品情報データベースに記憶する態様としては、検索したサーバ識別情報の中から選択されたサーバ識別情報のみを商品情報データベースに記憶する態様や、検索したサーバ識別情報全てを商品情報データベースに記憶する態様を用いることができる。商品名情報に基づいて検索した複数のサーバ識別情報を商品情データベースに記憶する場合には、複数のサーバ識別情報に対して同じ商品関連情報識別情報を付与するのが好ましい。また、商品名情報に基づいて検索した複数のサーバ識別情報の全てを商品情報データベースに記憶する場合には、商品名情報を含む商品関連情報検索要求情報と商品名情報を含む商品情報登録要求情報を同時に送信する方法を用いることができる。
サーバ識別情報に対して商品関連情報識別情報を付与する時期は、サーバ識別情報を受信した時点から、商品情報を商品情報データベースに記憶するまでの間の任意の時期を選択することができる。
また、商品登録要求情報を受信した際に、商品情報データベースに記憶する「受信したサーバ識別情報」や「付与した商品関連情報識別情報」は、店舗端末装置から受信したものを用いることもできる。この場合には、商品情報管理サーバから、サーバ識別情報や商品関連情報識別情報を、商品関連情報検索要求情報を送信した店舗端末装置に送信し、店舗端末装置から、商品名情報とともにサーバ識別情報及び商品関連情報識別情報を含む商品情報登録要求情報を送信するように構成する。このような態様も、本発明の、「受信した商品登録要求情報に含まれている商品名情報と、受信したサーバ識別情報と、付与した商品関連情報識別情報を商品情報データベースに登録する」構成に含まれる。
本明細書では、「店舗端末装置」は、店舗が使用する端末装置を表している。
本明細書では、「購入者端末」は、購入者（消費者）が使用する端末装置を表している。
「購入者端末装置識別情報」としては、購入者端末装置を識別可能な情報、例えば、購入者端末装置のアドレス情報が用いられる。
また、本発明の第２発明は、請求項２に記載された構成を備える商品情報提供装置である。
本発明は、店舗端末装置と、商品情報管理サーバと、商品情報記憶装置と、複数の商品関連情報管理サーバと、各商品関連情報管理サーバに対応して設けられた商品関連情報記憶装置と、サーバ検索サーバと、サーバ情報記憶装置と、Ｗｅｂサーバを備えている。
商品情報記憶装置、商品関連情報記憶装置、サーバ情報記憶装置は、請求項１と同様の情報を記憶している。
店舗端末装置は、第1発明と同様に、商品関連情報検索要求情報や商品情報登録要求情報を商品情報管理サーバに送信する。
商品情報管理サーバは、第１発明と同様に、店舗端末装置から受信した商品登録要求情報に含まれている商品名情報と、サーバ検索サーバから受信したサーバ識別情報と、サーバ識別情報に基づいて付与した商品関連情報識別情報を含む商品情報を、商品情報データベースに商品識別情報に対応させて記憶する。
また、商品情報管理サーバは、Ｗｅｂサーバから受信した商品情報送信要求情報に含まれている商品識別情報に対応する商品名情報と商品関連情報識別情報を商品情報データベースから読み出し、読み出した商品名情報と商品関連情報識別情報をＷｅｂサーバに送信する。
さらに、商品情報管理サーバは、Ｗｅｂサーバから受信した商品関連情報送信要求情報に含まれている商品関連情報識別情報に対応する商品名情報とサーバ識別情報を商品情報データベースから読み出し、読み出した商品名情報とサーバ識別情報をＷｅｂサーバに送信する。
サーバ検索サーバは、第1発明と同様に、商品関連情報管理サーバのサーバ識別情報を検索して商品情報管理サーバに送信する。
Ｗｅｂサーバは、購入者端末装置から受信した商品情報送信要求情報に含まれている商品識別情報を含む商品関連情報識別情報を商品情報管理サーバに送信し、商品情報管理サーバから受信した商品名情報と商品関連情報識別情報を含む商品画面情報を、商品情報送信要求情報を送信した購入者端末装置に送信する。
さらに、Ｗｅｂサーバは、購入者端末装置から受信した商品関連情報送信要求情報に含まれている商品関連情報識別情報を含む商品関連情報送信要求情報を商品情報管理サーバに送信し、商品情報管理サーバから受信した商品名情報と、商品関連情報送信要求情報を送信した購入者端末装置を示す購入者端末装置識別情報を含む商品関連情報送信要求情報を、商品情報管理サーバから受信したサーバ識別情報で示される商品関連情報管理サーバに送信する。
商品関連情報管理サーバは、第1発明と同様に、商品関連情報を購入者端末装置に送信する。
また、本発明の第３発明は、請求項３に記載された構成を備える商品情報提供装置である。
本発明では、商品情報管理サーバは、サーバ検索サーバから受信したサーバ識別情報で示される商品関連情報管理サーバに、商品関連情報検索要求情報に含まれている商品名情報と、商品関連情報送信要求情報を送信した店舗端末装置を示す店舗端末装置識別情報を含む商品関連情報送信要求情報を送信し、商品関連情報送信要求情報を商品関連情報管理サーバに送信した後、店舗端末装置から商品情報登録要求情報を受信すると、受信した商品情報登録要求情報に含まれている商品名情報と、前記検索サーバから受信したサーバ識別情報と、前記付与した商品関連情報識別情報を含む商品情報を商品情報データベースに記憶する。
商品関連情報管理サーバは、商品情報管理手段から受信した商品関連情報送信要求情報に含まれている商品名情報に対応する商品関連情報を、商品情報管理手段から受信した商品関連情報送信要求情報に含まれている店舗端末装置識別情報で示される店舗端末装置に送信する。
店舗端末装置は、商品関連情報管理サーバから受信した商品関連情報を表示手段に表示する。
「店舗端末装置識別情報」としては、店舗端末装置を識別可能な情報、例えば、店舗端末装置のアドレス情報が用いられる。
また、商品登録要求情報を受信した際に、商品情報データベースに記憶する「受信したサーバ識別情報」や「付与した商品関連情報識別情報」は、店舗端末装置から受信したものを用いることもできる。この場合には、商品名情報と店舗端末装置識別情報とともに商品関連情報識別情報を含む商品関連情報送信要求情報を商品情報管理サーバから商品関連情報管理サーバに送信し、商品関連情報とともに商品関連情報識別情報と商品関連情報管理サーバを示すサーバ識別情報を店舗端末装置に送信し、店舗端末装置から、商品名情報とともに、商品関連情報識別情報とサーバ識別情報を含む商品情報登録要求情報を送信するように構成する。このような態様も、本発明の、「受信した商品登録要求情報に含まれている商品名情報と、受信したサーバ識別情報と、付与した商品関連情報識別情報を商品情報データベースに登録する」構成に含まれる。
サーバ検索サーバで複数のサーバ識別情報を検索された場合、検索されたサーバ識別情報で示される商品関連情報管理サーバに商品関連情報送信要求情報を送信する態様としては、例えば、店舗端末装置から次候補送信要求情報が送信される毎に、順次送信する態様を用いるのが好ましい。
また、本発明の第４発明は、請求項４に記載された構成を備える商品情報提供装置である。
本発明では、商品関連情報作成サーバを備えるとともに、サーバ情報記憶装置は、商品関連情報作成サーバが作成する商品関連情報に係る商品の商品名情報を、当該商品関連情報作成サーバを示すサーバ識別情報に対応させて記憶している。
店舗端末装置は、入力された商品名情報を含む商品関連情報作成サーバ検索要求情報をサーバ検索サーバに送信し、サーバ検索サーバから受信したサーバ識別情報で示される商品関連情報作成サーバに、入力された商品名情報と商品関連情報作成情報を送信する。
サーバ検索サーバは、店舗端末装置から受信した商品関連情報作成サーバ検索要求情報に含まれている商品名情報に対応する商品関連情報を作成する商品関連情報作成サーバのサーバ識別情報を、サーバ情報記憶装置に記憶されているサーバ識別情報の中から検索して店舗端末装置に送信する。
商品関連情報作成サーバは、店舗端末装置から受信した商品関連情報作成情報を用いて商品関連情報を作成し、作成した商品関連情報と、店舗端末装置から受信した商品名情報を含む商品関連情報登録要求情報を商品関連情報管理サーバのいずれかに送信する。
商品関連情報作成情報を送信する商品関連情報作成サーバは、種々の方法を用いて選択することができる。
商品関連情報管理サーバは、商品関連情報作成サーバから受信した商品関連情報登録要求情報に含まれている商品名情報と商品関連情報を商品関連情報記憶装置に記憶する。
商品関連情報作成サーバで作成した商品関連情報を商品関連情報管理サーバのいずれかに送信する方法としては、予め定められている商品関連情報管理サーバに送信する方法や、作成した商品関連情報に係る商品名で示される商品の商品関連情報を管理している商品関連情報管理サーバをサーバ検索サーバを用いて検索し、検索した商品関連情報管理サーバに送信する方法等を用いることでもきる。
また、本発明の第５発明は、請求項５に記載された構成を備える商品情報提供装置である。
本発明では、サーバ情報記憶装置は、商品関連情報管理サーバが作成する商品関連情報に係る商品の商品名情報を、当該商品関連情報作成サーバを示すサーバ識別情報に対応させて記憶している。
店舗端末装置は、入力された商品名情報を含む商品関連情報作成サーバ検索要求情報をサーバ検索サーバに送信し、サーバ検索サーバから受信したサーバ識別情報で示される商品関連情報作成サーバに、入力された商品名情報と商品関連情報作成情報を送信する。
検索サーバは、店舗端末装置から受信した商品関連情報作成サーバ検索要求情報に含まれている商品名情報に対応する商品関連情報作成サーバのサーバ識別情報を、サーバ情報記憶装置に記憶されているサーバ識別情報の中から検索して店舗端末装置に送信する。
サーバ情報記憶装置は、商品名情報に他の情報、例えば、商品の分類情報（カテゴリ情報）、商品関連情報の種別情報等を記憶することもできる。この場合、商品名情報とこれらの情報を用いて、商品関連情報を作成する商品関連情報作成サーバのサーバ識別情報を検索することができる。
また、本発明の第６発明は、請求項６に記載された構成を備える商品情報提供装置である。
本発明の商品情報提供方法は、以下の手順を実行する。
商品関連情報検索要求情報を、店舗端末装置から商品情報管理サーバに送信する。
商品情報管理サーバで受信した商品関連情報検索要求情報に含まれている商品名情報を含む商品関連情報管理サーバ検索要求情報を、商品情報管理サーバからサーバ検索サーバに送信する。
サーバ検索サーバで受信した商品関連情報管理サーバに含まれている商品名情報で示される商品に係る商品関連情報を管理している商品関連情報管理サーバのサーバ識別情報を、サーバ情報記憶装置に記憶されているサーバ情報に基づいて検索し、検索したサーバ識別情報をサーバ検索サーバから商品情報管理サーバに送信する。
商品情報登録要求情報を、店舗端末装置から商品情報管理サーバに送信する。
商品情報管理サーバにより、店舗端末装置から送信された商品情報登録要求情報に含まれている商品名情報と、サーバ検索サーバが検索したサーバ識別情報と、当該サーバ識別情報に対して付与した商品関連情報識別情報を、商品情報管理サーバが管理している商品情報記憶装置に記憶する。
購入者端末装置から商品関連情報送信要求情報が送信されると、商品関連情報送信要求情報に含まれている商品関連情報識別情報に対応する商品名情報とサーバ識別情報を商品情報記憶装置から読み出し、読み出した商品名情報と、商品関連情報送信要求情報を送信した購入者端末装置を示す購入者端末装置識別情報を含む商品関連情報送信要求情報を、商品情報記憶装置から読み出したサーバ識別情報で示される商品関連情報管理サーバに送信する。
商品関連情報送信要求情報を受信した商品関連情報管理サーバから、受信した商品関連情報送信要求情報に含まれている商品名情報で示される商品に係る商品関連情報を、受信した商品関連情報送信要求情報に含まれている購入者端末装置識別情報で示される購入者端末装置に送信する。
商品名情報に基づいて商品関連情報管理サーバのサーバ識別情報を検索する態様には、商品名情報と他の情報、例えば、商品の分類情報（カテゴリ情報）、商品関連情報の種別情報等を用いて商品関連情報管理サーバのサーバ識別情報を検索する態様が含まれる。
商品名情報に基づいて検索されたサーバ識別情報を商品情報記憶装置に記憶する態様としては、検索したサーバ識別情報の中から選択されたサーバ識別情報のみを商品情報記憶装置に記憶する態様や、検索したサーバ識別情報全てを商品情報記憶装置に記憶する態様を用いることができる。商品名情報に基づいて検索した複数のサーバ識別情報の全てを商品情報記憶装置に記憶する態様を用いる場合には、商品名情報を含む商品関連情報検索要求情報と商品名情報を含む商品情報登録要求情報を同時に送信することができる。
購入者端末装置から商品関連情報送信要求情報を商品情報管理サーバに送信する方法としては、購入者端末装置から商品情報管理装置に送信する方法を用いることもできるし、Ｗｅｂサーバ等の他の装置を介して送信する方法を用いることもできる。
同様に、商品名情報と購入者端末装置識別情報を含む商品関連情報送信要求情報を商品関連情報管理サーバに送信する方法としては、商品情報管理サーバから商品関連情報管理サーバに送信する方法を用いることもできるし、Ｗｅｂサーバ等の他の装置を介して送信する方法を用いることもできる。
【発明の効果】
【０００５】
請求項1に記載の商品情報提供装置では、商品関連情報を含む商品情報をＷｅｂサイトに形成するため、店舗及び購入者にとって魅力あるＷｅｂサイトを開設することができる。
本発明では、商品関連情報として、商品関連情報管理サーバが管理している商品関連情報を用いているため、Ｗｅｂサイト側に商品関連情報を記憶させる記憶装置を設ける必要がなく、Ｗｅｂサイトの管理コストを抑えることができる。特に、商品関連情報としてリッチコンテンツ情報を用いる場合には、Ｗｅｂサイト側の管理コストの抑制効果及び広告効果をより高めることができる。
また、本発明では、サーバ検索サーバを用いて、店舗が提供する商品の商品関連情報を管理している商品関連情報管理サーバを検索する。これにより、店舗は、自己が提供する商品の商品関連情報を作成する手間や、自己が提供する商品の商品関連情報を作成する商品関連情報作成事業者を探す手間等が不要となり、商品関連情報をＷｅｂサイトに容易に掲載することができる。
特に、商品情報管理サーバの商品情報管理処理としてＷｅｂサービスを用いることにより、店舗端末装置での入力操作が容易となる。また、商品関連情報管理サーバの商品関連情報管理処理としてＷｅｂサービスを用いることにより、商品情報管理サーバと商品関連情報管理サーバとを容易に連携することができるため、Ｗｅｂサイトに掲載する商品関連情報として商品関連情報管理サーバが管理している商品関連情報を使用可能な本発明の構築が非常に容易となる。
請求項２に記載の商品情報提供装置は、請求項1に記載の商品情報提供装置と同様の効果を有している。
請求項３に記載の商品情報提供装置を用いれば、サーバ検索サーバによって検索された商品関連情報管理サーバが管理している商品関連情報を店舗端末装置に送信するため、店舗は、検索された商品関連情報を確認することができる。
ここで、サーバ検索サーバによって検索された複数の商品関連情報管理サーバが管理している商品関連情報を店舗端末装置に順次送信して表示手段に表示させるように構成することにより、店舗は、検索された複数の商品関連情報管理サーバが管理している商品関連情報を確認しながら、好みの商品関連情報を登録することができる。
請求項４に記載の商品情報提供装置では、店舗は、提供する商品の商品関連情報を店舗端末装置を用いて作成することができるため、商品関連情報を容易に、短時間で作成することができる。この場合、店舗が作成した商品関連情報を商品関連情報管理サーバに登録することにより、店舗が作成した商品関連情報を有効に利用することができる。
請求項５に記載の商品情報提供装置では、店舗は、提供する商品の商品関連情報を作成するのに適した商品関連情報作成サーバを簡単に選択することができる。
請求項６に記載の商品情報管理方法は、請求項１に記載の商品情報提供装置と同様の効果を有している。
【発明を実施するための最良の形態】
【０００６】
以下に、本発明の実施の形態を、図面を参照して説明する。
ここで、近年、異なるコンピュータに分散して配置されているソフトウェアをインターネットを介して利用可能なシステムの開発が要望されている。この場合、インターネットを介してアプリケーション（ソフトウェア）同士を連係させる必要がある。
そこで、インターネットを介してアプリケーション同士を連係させる技術として、「Ｗｅｂサービス」が開発されている。
Ｗｅｂサービスでは、ＳＯＡＰ(Simple  Object  Access  Protocol)、ＷＳＤＬ(Web  Service  Description  Language)、ＵＤＤＩ(Universal  Description  and  Integration)が用いられている。
ＳＯＡＰは、Ｗｅｂサービスで使用されるメッセージのフォーマットや処理ルールを定めた通信規約である。ＳＯＡＰ規格に対応したＸＭＬ(eXtensible  Markup  Language)形式のメッセージを「ＳＯＡＰメッセージ」という。ＳＯＡＰメッセージは、ＨＴＴＰ(Hyper  Text  Transfer  Protocol)等のインターネット通信プロトコルを用いて送受信される。
ＷＳＤＬは、Ｗｅｂサービスのインターフェースを記述するための記述言語である。ＷＳＤＬで記述したＸＭＬ形式の文章を「ＷＳＤＬ文章」という。
ＵＤＤＩは、Ｗｅｂサービスを効果的に利用するために、Ｗｅｂサービスを登録・公開する仕様である。ＵＤＤＩには、Ｗｅｂサービスの内容、Ｗｅｂサービスの提供者名、分類、Ｗｅｂサービスを利用するためのアドレス（ＵＲＬやＩＰアドレス）、Ｗｅｂサービスの仕様、ＷｅｂサービスのＷＳＤＬを取得するためのアドレス等の情報が含まれている。ＵＤＤＩを登録する場所を「ＵＤＤＩレジストリ」という。ＵＤＤＩとの間の通信は、ＸＭＬ形式の文章により行われる。
Ｗｅｂサービスを利用する場合には、ＵＤＤＩレジストリから、利用するＷｅｂサービスについての情報を検索する。そして、利用するＷｅｂサービスのアドレスにアクセスし、利用するＷｅｂサービスの仕様が記述されたＷＳＤＬを取得する。
Ｗｅｂサービスでは、ＸＭＬ形式の文章を用いるため、端末装置での入力処理が容易である。また、Ｗｅｂサービスの仕様を記述したＷＳＤＬを取得するのみで、ソフトウェアを変更する必要がないため、アプリケーション（ソフトウェア）同士の連係が容易である。
本実施の形態では、このＷｅｂサービスを利用している。
【０００７】
本発明の第1の実施の形態の概略構成図を図１に示す。本実施の形態では、商品関連情報としてリッチコンテンツ情報を用い、商品情報記憶装置としてリッチコンテンツ情報記憶装置を用い、商品関連情報管理サーバとしてリッチコンテンツ管理サーバを用いている。
本実施の形態は、概略、店舗端末装置１０、商品情報管理サーバ２０、Ｗｅｂサーバ４０、リッチコンテンツ管理サーバ５０、サーバ検索サーバ７０、購入者端末装置８０、決済サーバ９０等により構成されている。各装置は、インターネット１００を介して接続されている。
また、商品情報管理サーバ２０がアクセス可能な商品情報記憶装置３０、リッチコンテンツ管理サーバ５０がアクセス可能なリッチコンテンツ情報記憶装置５１、サーバ検索サーバ７０がアクセス可能なサーバ情報記憶装置７１が設けられている。なお、商品情報記憶装置３０、リッチコンテンツ情報記憶装置５１、サーバ情報記憶装置７１は、対応するサーバがアクセス可能であればよく、インターネット１００に接続されていてもよい。
【０００８】
店舗端末装置１０は、店舗端末処理手段１０ａ、商品情報管理Ｗｅｂサービス用文章処理手段１０ｂ、商品情報管理Ｗｅｂサービス用メッセージ処理手段１０ｃを有している。各手段は、ハードウェアで構成することもできるし、ソフトウェアで構成することもできる。なお、図示は省略しているが、店舗端末装置１０は、これ以外に、キーボード、マウス、記憶媒体に記憶されている情報を読み取る読取装置等の入力手段（店舗側入力手段）や、表示手段（店舗側表示手段）、処理プログラム等が記憶されている記憶手段（店舗側記憶手段）、送信手段（店舗側送信手段）、受信手段（店舗側受信手段）等を有している。
商品情報管理Ｗｅｂサービス用文章処理手段１０ｂ、商品情報管理Ｗｅｂサービス用メッセージ処理手段１０ｃは、商品情報管理サーバ２０が提供する商品情報管理Ｗｅｂサービスを店舗端末装置１０が利用可能とするためのものであり、商品情報管理サーバ２０に設けられている商品情報管理Ｗｅｂサービス用文章処理手段２０ｂ、商品情報管理Ｗｅｂサービス用メッセージ処理手段２０ｃと同様の構成である。
商品情報管理Ｗｅｂサービス用文章処理手段１０ｂ、２０ｂは、相手方に送信する情報（送信情報）を、商品情報管理サーバ２０が提供する商品情報管理Ｗｅｂサービスで定義される記述形式で記述した文章（商品情報管理文章）に変換する変換処理、あるいは、逆に、文章（商品情報管理文章）から、相手方から送信された送信情報（受信情報）を抽出する抽出処理を実行する。
商品情報管理Ｗｅｂサービス用メッセージ処理手段１０ｃ、２０ｃは、商品情報管理Ｗｅｂサービス用文章処理手段１０ｂ、２０ｂで変換された文章（商品情報管理文章）を、商品情報管理サーバ２０が提供する商品情報管理Ｗｅｂサービスで定義されるフォーマットを有するメッセージ（商品情報管理メッセージ）に変換する変換処理、あるいは、逆に、受信したメッセージ（商品情報管理メッセージ）から文章（商品情報管理文章）を抽出する抽出処理を実行する。
本実施の形態では、商品情報管理Ｗｅｂサービス用文章処理手段は、前述したＷＳＤＬを用いて変換処理あるいは抽出処理を実行する。また、商品情報管理Ｗｅｂサービス用メッセージ処理手段は、前述したＳＯＡＰを用いて変換処理あるいは抽出処理を実行する。
【０００９】
店舗端末処理手段１０ａは、店舗側入力手段で入力された送信情報を店舗側送信手段から送信させる処理、店舗側受信手段で受信した情報から受信情報（相手側から送信された送信情報）を抽出する処理を各手段に実行させる処理を管理する。
本実施の形態では、店舗側送信手段として、メッセージ（例えば、商品情報管理メッセージ）をＨＴＴＰ等のインターネットプロトコルを用いてインターネットに送信する処理を実行する送信手段を用い、店舗側受信手段として、インターネットから受信した情報からＨＴＴＰ等のインターネットプロトコルを用いてメッセージ（例えば、商品情報管理メッセージ）を抽出する処理を実行する受信手段を用いている。
【００１０】
商品情報管理サーバ２０は、商品情報管理手段２０ａ、商品情報管理Ｗｅｂサービス用文章処理手段２０ｂ、商品情報管理Ｗｅｂサービス用メッセージ処理手段２０ｃ、リッチコンテンツ管理Ｗｅｂサービス用文章処理手段２０ｄ、リッチコンテンツ管理Ｗｅｂサービス用メッセージ処理手段２０ｅを有している。各手段は、ハードウェアで構成することもできるし、ソフトウェアで構成することもできる。なお、図示は省略しているが、商品情報管理サーバ２０は、これ以外に、キーボード、マウス、記憶媒体に記憶されている情報を読み取る読取装置等の入力手段（商品管理側入力手段）や、表示手段（商品管理側表示手段）、処理プログラム等が記憶されている記憶手段（商品管理側記憶手段）、送信手段（商品管理側送信手段）、受信手段（商品管理側受信手段）等を有している。
【００１１】
商品情報管理Ｗｅｂサービス用文章処理手段２０ｂ、商品情報管理Ｗｅｂサービス用メッセージ処理手段２０ｃは、前述したように、商品情報管理サーバ２０が商品情報管理Ｗｅｂサービスを提供するために設けられている。
リッチコンテンツ管理Ｗｅｂサービス用文章処理手段２０ｄ、リッチコンテンツ管理Ｗｅｂサービス用メッセージ処理手段２０ｅは、リッチコンテンツ管理サーバ５０が提供するリッチコンテンツ管理Ｗｅｂサービスを商品情報管理サーバ２０が利用可能とするためのものであり、リッチコンテンツ管理サーバ５０に設けられているリッチコンテンツ管理Ｗｅｂサービス用文章処理手段５０ｂ、リッチコンテンツ管理Ｗｅｂサービス用メッセージ処理手段５０ｃと同様の構成である。
リッチコンテンツ管理Ｗｅｂサービス用文章処理手段２０ｄ、５０ｂは、相手方に送信する情報（送信情報）を、リッチコンテンツ管理サーバ５０が提供するリッチコンテンツ管理Ｗｅｂサービスで定義される記述形式で記述した文章（リッチコンテンツ管理文章）に変換する変換処理、あるいは、逆に、文章（リッチコンテンツ管理文章）から受信情報（相手方から送信された送信情報）を抽出する抽出処理を実行する。
リッチコンテンツ管理Ｗｅｂサービス用メッセージ処理手段２０ｅ、５０ｃは、リッチコンテンツ管理Ｗｅｂサービス用文章処理手段２０ｄ、５０ｂで変換された文章（リッチコンテンツ管理文章）を、リッチコンテンツ管理サーバ５０が提供するリッチコンテンツ管理Ｗｅｂサービスで定義されるフォーマットを有するメッセージ（リッチコンテンツ管理メッセージ）に変換する変換処理、あるいは、逆に、受信したメッセージ（リッチコンテンツ管理メッセージ）から文章（リッチコンテンツ管理文章）を抽出する抽出処理を実行する。
本実施の形態では、リッチコンテンツ管理Ｗｅｂサービス用文章処理手段２０ｄ、５０ｂは、前述したＷＳＤＬを用いて変換処理あるいは抽出処理を実行する。また、リッチコンテンツ管理Ｗｅｂサービス用メッセージ処理手段２０ｅ、５０ｃは、前述したＳＯＡＰを用いて変換処理あるいは抽出処理を実行する。
【００１２】
商品情報記憶装置３０は、商品情報データベース３０ａ、店舗情報データベース３０ｂ、会員情報データベース３０ｃ、売上情報データベース３０ｄを有している。
商品情報データベース３０ａは、店舗が提供した商品情報を記憶する。商品情報データベース３０ａの実施例を図３に示す。
図３に示す商品情報データベースには、商品を提供した店舗を示す店舗識別情報（例えば、店舗ＩＤ）、商品名情報、価格情報、商品のカテゴリを示すカテゴリ情報（分類を示す分類情報）、商品に関するコメント情報、商品の写真情報、商品のリッチコンテンツ情報を示すリッチコンテンツ識別情報（例えば、リッチコンテンツＩＤ）、リッチコンテンツ情報を管理しているリッチコンテンツ管理サーバ５０を示すサーバ識別情報（例えば、サーバのアドレス情報、サーバ名情報、サーバＩＤ）等を含む商品情報が、商品を示す商品識別情報（例えば、商品ＩＤ）に対応させて記憶されている。
【００１３】
店舗情報データベース３０ｂは、商品情報を提供する店舗の店舗情報を記憶する。
店舗情報データベースの実施例を図４に示す。
図４に示す店舗情報データベースには、店舗名情報、店舗の住所情報、店舗パスワード情報等の店舗情報が、店舗を示す店舗識別情報（例えば、店舗ＩＤ）に対応させて記憶されている。
図５に示す会員情報データベースは、会員制を採用する場合に用いられ、会員の氏名情報、住所情報、購入履歴情報等の会員情報を、会員を示す会員識別情報（例えば、会員ＩＤ）に対応させて記憶されている。
売上情報データベース３０ｄは、各店舗が提供した商品の売上情報を記憶する。売上情報データベースの実施例を図６に示す。
図６に示す売上情報データベースは、売上情報を店舗毎に記憶する店舗別売上情報データベースと、購入者毎に記憶する購入者別売上情報データベースを有している。
店舗別売上情報データベースには、売上商品を示す売上商品識別情報（例えば、商品ＩＤ）、売上個数情報、売上金額情報等の売上情報が、店舗を示す店舗識別情報（例えば、店舗ＩＤ）に対応させて記憶されている。図６に示す店舗別売上情報データベースは１ヶ月分の売上情報を集計したものである。勿論、日毎や週毎の売上情報を記憶させてもよい。
購入者別売上情報データベースには、購入者名情報、購入日時情報、購入した商品を示す商品識別情報（例えば、商品ＩＤ）、商品名情報、購入個数情報、購入金額情報、決済方法情報等の売上情報が、購入者を示す購入者識別情報（例えば、購入者ＩＤ）に対応させて記憶されている。購入者ＩＤとしては、会員ＩＤを用いることもできる。
【００１４】
本実施の形態では、商品情報管理手段２０ａは、商品管理側受信手段で受信した情報を商品情報記憶装置３０のデータベースに記憶させる処理、商品管理側受信手段で受信した要求情報に基づいて、商品情報記憶装置３０のデータベースに記憶されている情報を読み出し、商品管理側送信手段から送信する処理等を管理する。
本実施の形態では、商品管理側送信手段として、メッセージ（例えば、リッチコンテンツ管理メッセージ）をＨＴＴＰ等のインターネットプロトコルを用いてインターネットに送信する処理を実行する送信手段を用い、商品管理側受信手段として、インターネットから受信した情報からＨＴＴＰ等のインターネットプロトコルを用いてメッセージ（例えば、リッチコンテンツ管理メッセージ）を抽出する処理を実行する受信手段を用いている。
【００１５】
リッチコンテンツ管理サーバ５０は、リッチコンテンツ管理手段５０ａ、リッチコンテンツ管理Ｗｅｂサービス用文章処理手段５０ｂ、リッチコンテンツ管理Ｗｅｂサービス用メッセージ処理手段５０ｃを有している。各手段は、ハードウェアで構成することもできるし、ソフトウェアで構成することもできる。なお、図示は省略しているが、リッチコンテンツ管理サーバ５０は、これ以外に、キーボード、マウス、記憶媒体に記憶されている情報を読み取る読取装置等の入力手段（リッチコンテンツ管理側入力手段）や、表示手段（リッチコンテンツ管理側表示手段）、処理プログラム等が記憶されている記憶手段（リッチコンテンツ管理側記憶手段）、送信手段（リッチコンテンツ管理側送信手段）、受信手段（リッチコンテンツ管理側受信手段）等を有している。
リッチコンテンツ管理Ｗｅｂサービス用文章処理手段５０ｂ、リッチコンテンツ管理Ｗｅｂサービス用メッセージ処理手段５０ｃは、前述したように、リッチコンテンツ管理サーバ５０がリッチコンテンツ管理Ｗｅｂサービスを提供するために設けられている。
【００１６】
リッチコンテンツ情報記憶装置５１は、リッチコンテンツ管理サーバ５０に対応して設けられ、リッチコンテンツ管理サーバ５０が管理するリッチコンテンツ情報を記憶する。
リッチコンテンツ情報記憶装置５１は、リッチコンテンツ情報データベース５１ａを有している。
リッチコンテンツ情報データベース５１ａの実施例を図７に示す。図７に示すリッチコンテンツ情報データベースは、リッチコンテンツ情報、リッチコンテンツ情報に係る商品の商品名情報、カテゴリ情報（分類情報）、リッチコンテンツ情報の種別情報等が、リッチコンテンツ情報を示すリッチコンテンツ識別情報（例えば、リッチコンテンツＩＤ）に対応させて記憶されている。
なお、リッチコンテンツ情報データベース５１ａのリッチコンテンツＩＤは、リッチコンテンツ情報データベース５１ａ用のものである。
本実施の形態では、リッチコンテンツ管理手段５０ａは、リッチコンテンツ管理側受信手段で受信した要求情報に基づいて、リッチコンテンツ情報データベース５１ａに記憶されているリッチコンテンツ情報を読み出し、リッチコンテンツ管理側送信手段から送信する送信処理や、リッチコンテンツ管理側受信手段で受信したリッチコンテンツ情報をリッチコンテンツ情報データベース５１ａに書き込む（記憶させる）書込処理等を実行する。
本実施の形態では、リッチコンテンツ情報が本発明の「商品関連情報」に対応し、リッチコンテンツ管理サーバ５０が本発明の「商品関連情報管理サーバ」に対応し、リッチコンテンツ情報記憶装置５１が本発明の「商品関連情報記憶装置」に対応する。
【００１７】
サーバ検索サーバ７０は、サーバ検索手段７０ａを有している。なお、図示は省略しているが、サーバ検索サーバ７０は、これ以外に、キーボード、マウス、記憶媒体に記憶されている情報を読み取る読取装置等の入力手段（サーバ検索側入力手段）や、表示手段（サーバ検索側表示手段）、処理プログラム等が記憶されている記憶手段（サーバ検索側記憶手段）、送信手段（サーバ検索側送信手段）、受信手段（サーバ検索側受信手段）等を有している。
また、サーバ検索サーバ７０がアクセス可能なサーバ情報記憶装置７１は、サーバ情報データベース７１ａを有している。
本実施の形態では、サーバ情報データベース７１ａとして、Ｗｅｂサービスの検索を行うためのＵＤＤＩレジストリを用いている。ＵＤＤＩレジストリとの通信は、ＸＭＬ形式で行うため、Ｗｅｂサービスを利用する必要がない。
サーバ情報データベース７１ａの実施例を図８に示す。図８に示すサーバ情報データベースには、サーバが提供しているＷｅｂサービスのＷｅｂサービス名情報、Ｗｅｂサービスのカテゴリ情報（分類情報）、Ｗｅｂサービスの仕様を記述したＷＳＤＬを取得するためのアドレス情報（ＩＰアドレスやＵＲＬ）等のサーバ情報が記憶されている。
なお、サーバ情報には、サーバが提供するＷｅｂサービスの内容に応じて種々の情報が含まれる。例えば、リッチコンテンツ管理Ｗｅｂサービスを提供するリッチコンテンツ管理サーバ５０に対しては、リッチコンテンツ管理サーバ５０が管理しているリッチコンテンツ情報に係る商品の商品名情報、商品のカテゴリ情報、リッチコンテンツ情報の種別情報等が含まれる。
本実施の形態では、サーバ情報に含まれているアドレス情報を、当該サーバを示すサーバ識別情報として用いている。
これらのサーバ情報は、Ｗｅｂサービスを検索するための検索情報として用いられる。
本実施の形態では、サーバ検索手段７０ａは、サーバ検索側受信手段で受信した検索情報（例えば、商品名情報）に基づいて、Ｗｅｂサービスのアドレス情報（Ｗｅｂサービスを提供しているサーバのアドレス情報）を検索し、検索したＷｅｂサービスのアドレス情報（Ｗｅｂサービスを提供しているサーバのアドレス）をサーバ検索側送信手段から送信する処理等を実行する。
なお、本実施の形態では、各Ｗｅｂサービス用メッセージ処理手段はＳＯＡＰを用いているため、各Ｗｅｂサービスを利用する場合には、各Ｗｅｂサービスを利用するためのＷＳＤＬ（各Ｗｅｂサービス用文章処理手段を構成するための情報）のみを取得すればよい。
【００１８】
本実施の形態では、店舗は、商品情報を商品情報管理サーバ２０に登録する際（商品情報を商品情報記憶装置３０の商品情報データベース３０ａに記憶する際）、リッチコンテンツ情報に関しては、リッチコンテンツ管理サーバ５０が管理している（リッチコンテンツ管理サーバ５０に対応するリッチコンテンツ情報データベース５１ａに記憶されている）リッチコンテンツ情報を商品情報管理サーバ２０に登録する。
このため、リッチコンテンツ情報をリッチコンテンツ管理サーバ５０に登録する（リッチコンテンツ情報をリッチコンテンツ管理サーバ５０に対応するリッチコンテンツ情報記憶装置５１に記憶する）ための構成を図２を参照して説明する。なお、図２には、リッチコンテンツ情報をリッチコンテンツ情報管理サーバ５０に登録する際に用いられる構成のみを示している。
図２には、店舗端末装置１０から送信されたリッチコンテンツ情報作成情報を用いてリッチコンテンツ情報を作成し、作成したリッチコンテンツ情報をリッチコンテンツ管理サーバ５０に登録する（リッチコンテンツ情報データベース５１ａに記憶する）際に用いられるリッチコンテンツ作成サーバ６０、リッチコンテンツ作成事業者に依頼して作成したリッチコンテンツ情報をリッチコンテンツ作成事業者がリッチコンテンツ管理サーバ５０に登録する（リッチコンテンツ情報データベース５１ａに記憶する）際に用いられるリッチコンテンツ事業者端末装置１１０が示されている。
【００１９】
リッチコンテンツ作成サーバ６０は、リッチコンテンツ作成管理手段６０ａ、リッチコンテンツ作成手段６０ｂ、リッチコンテンツ作成Ｗｅｂサービス用文章処理手段６０ｃ、リッチコンテンツ作成Ｗｅｂサービス用メッセージ処理手段６０ｄ、リッチコンテンツ管理Ｗｅｂサービス用文章処理手段６０ｅ、リッチコンテンツ管理Ｗｅｂサービス用メッセージ処理手段６０ｆを有している。各手段は、ハードウェアで構成することもできるし、ソフトウェアで構成することもできる。なお、図示は省略しているが、リッチコンテンツ作成サーバ６０は、これ以外に、キーボード、マウス、記憶媒体に記憶されている情報を読み取る読取装置等の入力手段（リッチコンテンツ作成側入力手段）や、表示手段（リッチコンテンツ作成側表示手段）、処理プログラム等が記憶されている記憶手段（リッチコンテンツ作成側記憶手段）、送信手段（リッチコンテンツ作成側送信手段）、受信手段（リッチコンテンツ作成側受信手段）等を有している。
【００２０】
リッチコンテンツ作成手段６０ｂは、リッチコンテンツ作成情報を用いてリッチコンテンツ情報を作成する。
リッチコンテンツ作成Ｗｅｂサービス用文章処理手段６０ｃ、リッチコンテンツ作成Ｗｅｂサービス用メッセージ処理手段６０ｄは、リッチコンテンツ作成サーバ６０が提供するリッチコンテンツ作成Ｗｅｂサービスを店舗端末装置１０が利用可能とするためのものである。
リッチコンテンツ作成Ｗｅｂサービス用文章処理手段６０ｃは、相手方に送信する情報（送信情報）を、リッチコンテンツ作成サーバ６０が提供するリッチコンテンツ作成Ｗｅｂサービスで定義される記述形式で記述した文章（リッチコンテンツ作成文章）に変換する変換処理、あるいは、逆に、文章（リッチコンテンツ作成文章）から受信情報（相手方から送信された送信情報）を抽出する抽出処理を実行する。
リッチコンテンツ作成Ｗｅｂサービス用メッセージ処理手段６０ｄは、リッチコンテンツ作成Ｗｅｂサービス用文章処理手段６０ｃで変換された文章（リッチコンテンツ作成文章）を、リッチコンテンツ作成サーバ６０が提供するリッチコンテンツ作成Ｗｅｂサービスで定義されるフォーマットを有するメッセージ（リッチコンテンツ作成メッセージ）に変換する変換処理、あるいは、逆に、受信したメッセージ（リッチコンテンツ作成メッセージ）から文章（リッチコンテンツ作成文章）を抽出する抽出処理を実行する。
リッチコンテンツ管理Ｗｅｂサービス用文章処理手段６０ｅ、リッチコンテンツ管理Ｗｅｂサービス用メッセージ処理手段６０ｆは、前述した、リッチコンテンツ管理サーバ５０が提供するリッチコンテンツ管理Ｗｅｂサービスをリッチコンテンツ作成サーバ６０が利用可能とするためのものである。
【００２１】
本実施の形態では、リッチコンテンツ作成管理手段６０ａは、店舗端末装置１０から送信されたリッチコンテンツ情報作成情報を用いてリッチコンテンツ作成手段６０ｂにリッチコンテンツ情報を作成させる処理、リッチコンテンツ作成手段６０ｂで作成したリッチコンテンツ情報をリッチコンテンツ管理サーバ５０に送信して登録する処理（リッチコンテンツ管理サーバ５０に対応するリッチコンテンツ情報データベース５１ａに記憶する処理）を実行する。
【００２２】
リッチコンテンツ事業者端末装置１１０は、事業者端末処理手段１１０ａ、リッチコンテンツ管理Ｗｅｂサービス用文章処理手段１１０ｂ、リッチコンテンツ管理Ｗｅｂサービス用メッセージ処理手段１１０ｃを有している。なお、図示は省略しているが、リッチコンテンツ事業者端末装置１１０は、これ以外に、キーボード、マウス、記憶媒体に記憶されている情報を読み取る読取装置等の入力手段（事業者側入力手段）や、表示手段（事業者側表示手段）、処理プログラム等が記憶されている記憶手段（事業者側記憶手段）、送信手段（事業者側送信手段）、受信手段（事業者側受信手段）等を有している。
リッチコンテンツ管理Ｗｅｂサービス用文章処理手段１１０ｂ、リッチコンテンツ管理Ｗｅｂサービス用メッセージ処理手段１１０ｃは、前述した、リッチコンテンツ管理サーバ５０が提供するリッチコンテンツ管理Ｗｅｂサービスをリッチコンテンツ事業者端末装置１１０が利用可能とするためのものである。
本実施の形態では、事業者処理手段１１０ａは、事業者側入力手段により入力された、リッチコンテンツ作成事業者が作成したリッチコンテンツ情報をリッチコンテンツ管理サーバ５０に送信して登録する処理（リッチコンテンツ情報データベース５１ａに記憶させる処理）を実行する。
【００２３】
また、店舗端末装置１０には、リッチコンテンツ作成サーバ６０が提供するリッチコンテンツ作成Ｗｅｂサービスを店舗端末装置１０が利用可能とするための、リッチコンテンツ作成Ｗｅｂサービス用文章処理手段１０ｆ、リッチコンテンツ作成Ｗｅｂサービス用メッセージ処理手段１０ｇが設けられている。
【００２４】
まず、リッチコンテンツ作成サーバ６０を用いて、リッチコンテンツ情報をリッチコンテンツ管理サーバ５０に登録する（リッチコンテンツ情報データベース５１ａに記憶する）動作を図２６の動作フロー図を用いて説明する。リッチコンテンツ作成サーバ６０を用いてリッチコンテンツを作成する動作は、図２６の（Ａ）に示されている。
ここで、店舗端末装置１０にリッチコンテンツ作成サーバ６０が提供するリッチコンテンツ作成Ｗｅｂサービスを利用するためのクライアントソフトウェアがインストールされている場合（リッチコンテンツ作成Ｗｅｂサービス用文章処理手段１０ｆ、リッチコンテンツ作成Ｗｅｂサービス用メッセージ処理手段１０ｇが構成されている場合）には、店舗の担当者は、例えば、店舗端末装置１０の店舗側表示手段に表示されているリッチコンテンツ作成アイコンを選択する。これにより、店舗端末装置２０は、リッチコンテンツ作成サーバ６０にリッチコンテンツ作成Ｗｅｂサービスの利用要求情報を送信する。（図２６の(3)参照）
【００２５】
一方、店舗端末装置１０にリッチコンテンツ作成サーバ６０が提供するリッチコンテンツ作成Ｗｅｂサービスを利用するためのクライアントソフトウェアがインストールされていない場合には、リッチコンテンツ作成サーバを検索させるための検索情報を入力手段により入力し、入力された検索情報を含むリッチコンテンツ作成サーバ検索要求情報をサーバ検索サーバ７０に送信する。例えば、店舗が作成するリッチコンテンツ情報に係る商品の商品名情報「電磁調理機用鍋」、商品のカテゴリ情報[オール電化グッズ]、リッチコンテンツ情報種別情報[３Ｄ画像]を検索情報として含むリッチコンテンツ作成サーバ検索要求情報を送信する。（図２６の(1)参照）
サーバ検索手段７０ａは、店舗端末装置１０から送信されたリッチコンテンツ作成サーバ検索要求情報を受信すると、受信したリッチコンテンツ作成サーバ検索要求情報に含まれている検索情報に該当するＷｅｂサービスのアドレス情報（サーバアドレス情報）をサーバ情報データベース７１ａから検索する。そして、検索したサーバアドレス情報を、リッチコンテンツ作成サーバ検索要求情報を送信した店舗端末装置１０に送信する。例えば、リッチコンテンツ作成サーバ６０のアドレス情報を送信する。（図２６の(2)参照）
店舗の担当者は、店舗端末装置１０により、受信したアドレス情報で示されるリッチコンテンツ作成サーバ６０にアクセスし、リッチコンテンツ作成サーバ６０が提供するリッチコンテンツ作成Ｗｅｂサービスを利用するためのクライアントソフトウェアをダウンロードする。これにより、店舗端末装置１０に、リッチコンテンツ作成サーバ６０が提供するリッチコンテンツ作成Ｗｅｂサービスを利用するためのリッチコンテンツ作成Ｗｅｂサービス用文章処理手段１０ｆとリッチコンテンツ作成Ｗｅサービス用メッセージ処理手段１０ｇが形成される。
そして、前記と同様に、店舗端末装置１０の店舗側表示手段に表示されているリッチコンテンツ作成アイコンを選択し、店舗端末装置１０から、リッチコンテンツ作成サーバ６０にリッチコンテンツ作成Ｗｅｂサービスの利用要求情報を送信させる。
なお、リッチコンテンツ作成サーバ６０が提供するリッチコンテンツ作成Ｗｅｂサービスを利用するためのクライアントソフトウェアをインストールする方法はこれに限定されない。
【００２６】
以上のように、店舗端末装置１０が、リッチコンテンツ作成サーバ６０が提供するリッチコンテンツ作成Ｗｅｂサービスを利用する場合には、リッチコンテンツサーバ６０が提供するリッチコンテンツ作成Ｗｅｂサービスのクライアントソフトウェアをインストールし、端末装置１０にリッチコンテンツ作成Ｗｅｂサービス用文章処理手段１０ｆとリッチコンテンツ作成Ｗｅｂサービス用メッセージ処理手段１０ｇを形成する。これにより、リッチコンテンツ作成Ｗｅｂサービス用文章処理手段６０ｃ、１０ｆとリッチコンテンツ作成Ｗｅｂサービス用メッセージ処理手段６０ｄ、１０ｇを用いて、店舗端末装置１０とリッチコンテンツ作成サーバ６０との間で、リッチコンテンツ作成のための情報が送受信される。
これは、他のＷｅｂサービスを利用する場合も同様である。
以下では、Ｗｅｂサービス用文章処理手段やＷｅｂサービス用メッセージ処理手段の処理に関する動作説明は省略する。
【００２７】
リッチコンテンツ作成サーバ６０は、店舗端末装置１０から送信されたリッチコンテンツ作成Ｗｅｂサービスの使用要求情報を受信すると、店舗端末装置１０にリッチコンテンツ種別入力画面情報を送信する。
これにより、店舗端末装置１０の店舗側表示手段には、例えば、図９に示す［リッチコンテンツ種別入力画面］２１０が表示される。図９に示す［リッチコンテンツ種別入力画面］２１０は、商品名情報入力部２１０ａと、作成するリッチコンテンツの種別情報を入力する「動画」種別入力部２１０ｂと「３Ｄ画像」入力部２１０ｃを有している。なお、［リッチコンテンツ種別入力画面］２１０で、商品のカテゴリ情報等の他の情報も入力可能にしてもよい。
店舗の担当者は、店舗端末装置１０の店舗側表示手段に表示されている［リッチコンテンツ種別入力画面］２１０の商品情報入力部２１０ａに商品名情報、例えば「電磁調理器用鍋」を入力し、リッチコンテンツ情報入力部、例えば、「３Ｄ画像」入力部２１０ｃを選択する。これにより、店舗端末装置１０は、商品名情報「電磁調理器用鍋」と「３Ｄ画像」種別情報をリッチコンテンツ作成サーバ６０に送信する。
リッチコンテンツ作成サーバ６０は、店舗端末装置１０から送信された商品名情報「電磁調理器用鍋」と「３Ｄ画像」種別情報を受信すると、３Ｄ画像情報を作成するリッチコンテンツ作成手段６０ｂを作動させる。リッチコンテンツ作成手段６０ｂは、３Ｄ画像情報を作成するのに必要なリッチコンテンツ情報作成情報の入力指示画面を店舗端末装置１０に送信する。
これにより、店舗の担当者は、店舗側入力手段（例えば、読取装置）からリッチコンテンツ情報作成情報を入力する。店舗端末装置１０は、店舗側入力手段により入力されたリッチコンテンツ情報作成情報をリッチコンテンツ作成サーバ６０に送信する。（図２６の(4)参照）
リッチコンテンツ作成手段６０ｂは、店舗端末装置１０から送信されたリッチコンテンツ情報作成情報を用いてリッチコンテンツ情報を作成する。そして、作成したリッチコンテンツ情報を店舗端末装置１０に送信する。（図２６の(5)参照）
これにより、店舗端末装置１０の店舗側表示手段には、例えば、図１０に示す［確認画面］２２０が表示される。図１０に示す［確認画面］２２０では、リッチコンテンツ情報表示部２２０ａに、リッチコンテンツ作成サーバ６０で送信されたリッチコンテンツ情報(この場合、３Ｄ画像)が表示される。店舗の担当者は、［確認画面］２２０のリッチコンテンツ情報表示部２２０ａに表示されたリッチコンテンツ情報でＯＫであれば［ＯＫ］部２２０ｂを、ＮＧであれば［ＮＧ］部２２０ｃを選択する。
店舗端末装置１０は、［ＯＫ］部２２０ｂが選択された場合には、「ＯＫ」情報（登録要求情報）をリッチコンテンツ作成サーバ６０に送信する。（図２６の(7)参照）
一方、［ＮＧ］部２２０ｃが選択された場合には「ＮＧ」情報（再作成要求情報）をリッチコンテンツ作成サーバ６０に送信する。（図２６の(6)参照）
リッチコンテンツ作成サーバ６０は、「ＯＫ」情報を受信した場合には、リッチコンテンツ登録画面情報を店舗端末装置１０に送信する。これにより、店舗端末装置１０の店舗側表示手段には、例えば、図１１に示す［リッチコンテンツ登録画面］２３０が表示される。図１１に示す［リッチコンテンツ登録画面］２３０では、商品名情報表示部に、受信した商品名情報「電磁調理器用鍋」が表示されるとともに、リッチコンテンツＩＤ（リッチコンテンツ情報識別情報）表示部２３０ｂに、作成したリッチコンテンツ識別を示すリッチコンテンツＩＤ（リッチコンテンツ情報識別情報）「Ｈ１１１１」が表示される。なお、［リッチコンテンツ登録画面］２３０に表示されるリッチコンテンツＩＤは、後述する、商品情報管理サーバが付与するリッチコンテンツＩＤとは異なる。
一方、リッチコンテンツ作成サーバ６０は、「ＮＧ」情報（再作成用要求情報）を受信した場合には、リッチコンテンツ情報の作成を繰り返す。
【００２８】
リッチコンテンツ作成サーバ６０で作成されたリッチコンテンツ情報は、商品名情報とともにリッチコンテンツ管理サーバ５０に送信されて登録される（リッチコンテンツ管理サーバ５０に対応するリッチコンテンツ情報記憶装置５１のリッチコンテンツ情報データベース５１ａに記憶される）。（頭２６の(8)参照）
商品名情報とリッチコンテンツ情報をリッチコンテンツ管理サーバ５０に登録する際には、リッチコンテンツ作成サーバ６０は、リッチコンテンツ管理Ｗｅｂサービス用文章処理手段６０ｅとリッチコンテンツ管理Ｗｅｂサービス用メッセージ処理手段６０ｆを用い、リッチコンテンツ管理サーバ６０が提供しているリッチコンテンツ管理Ｗｅｂサービスを用いる。
リッチコンテンツ作成サーバ６０で作成したリッチコンテンツ情報を登録するリッチコンテンツ管理サーバ５０（リッチコンテンツ情報を記憶するリッチコンテンツ情報データベース５１ａ）は、適宜の方法で決定することができる。
例えば、リッチコンテンツ作成サーバ６０に対応するリッチコンテンツ管理サーバ５０を予め定めておく方法を用いることができる。この場合には、定められたリッチコンテンツ管理サーバ５０が提供するリッチコンテンツ管理Ｗｅｂサービスに対するクライアントソフトのみインストールすればよい。
あるいは、サーバ検索サーバ７０を用いて、作成したリッチコンテンツ情報の管理に適切なリッチコンテンツ管理サーバ５０を検索する方法を用いることができる。
例えば、リッチコンテンツ作成サーバ６０からサーバ検索サーバ７０に、作成したリッチコンテンツ情報に係る商品の商品名情報（［リッチコンテンツ種別入力画面］２１０で入力されたもの）を含むリッチコンテンツ作成サーバ検索要求情報を送信する。
サーバ検索サーバ７０は、リッチコンテンツ作成サーバ７０から送信されたリッチコンテンツ作成サーバ検索要求情報を受信すると、受信したリッチコンテンツ作成サーバ検索要求情報で示される商品名情報で示される商品の商品関連情報を管理している商品関連情報管理サーバのサーバ識別情報をサーバ情報データベースから検索し、検索したサーバ識別情報をリッチコンテンツ作成サーバ６０に送信する。
リッチコンテンツ作成サーバ６０は、サーバ検索サーバ７０から送信されたサーバ識別情報を受信すると、受信したサーバ識別情報で示されるリッチコンテンツ管理サーバ５０にアクセスし、リッチコンテンツ管理サーバ５０が提供しているリッチコンテンツ管理Ｗｅｂサービスを利用するためのクライアントソフトウェアをダウンロードする。
そして、リッチコンテンツ作成サーバ６０は、商品名情報と、作成したリッチコンテンツ情報をリッチコンテンツ管理サーバ５０に送信する。
【００２９】
次に、リッチコンテンツ作成事業者がリッチコンテンツ情報を作成し、リッチコンテンツ事業者端末装置１１０からリッチコンテン管理サーバ５０に送信して登録する動作を図２６を用いて説明する。リッチコンテンツ事業者端末装置１１０を用いてリッチコンテンツ情報を登録する動作は、図２６の（Ｃ）に示されている。
リッチコンテンツ事業者は、作成したリッチコンテンツ情報を送信するリッチコンテンツ管理サーバ５０を選択する。
リッチコンテンツ管理サーバ５０を選択する方法としては種々の方法を用いることができる。
例えば、リッチコンテンツ事業者端末装置１１０にリッチコンテンツ管理サーバ５０を予め定めておく方法を用いることができる。この場合には、定められたリッチコンテンツ管理サーバ５０が提供するリッチコンテンツ管理Ｗｅｂサービスに対するクライアントソフトウェアのみインストールすればよい。
あるいは、サーバ検索サーバ７０を用いて、作成したリッチコンテンツ情報の管理に適切なリッチコンテンツ管理サーバ５０を検索し、検索したリッチコンテンツ管理サーバ５０に送信する方法を用いることができる。
この場合には、リッチコンテンツ事業者端末装置１１０からサーバ検索サーバ７０に、例えば、商品名情報を含むリッチコンテンツ管理サーバ検索要求情報を送信する。
そして、サーバ検索サーバ７０で検索されたサーバ識別情報で示されるリッチコンテンツ管理サーバ５０が提供するリッチコンテンツ管理Ｗｅｂサービスに対するクライアントソフトウェアをダウンロードする。その後、リッチコンテンツ事業者端末装置１１０から、リッチコンテンツ管理サーバ５０に商品名情報とリッチコンテンツ情報を送信して登録する。（図２６の(21)、(22)参照）
【００３０】
また、店舗が作成したリッチコンテンツ情報を、店舗端末装置１０からリッチコンテンツ管理サーバ５０に送信して登録する方法を用いることもできる。店舗端末装置１０を用いてリッチコンテンツ情報を登録する動作は、図２６の（Ｂ）に示されている。
店舗端末装置１０からリッチコンテンツ情報を送信するリッチコンテンツ管理サーバ５０を決定する方法や店舗端末装置１０からリッチコンテンツ管理サーバ５０にリッチコンテンツ情報を送信する方法としては、リッチコンテンツ事業者端末装置１１０からリッチコンテンツ情報を送信して登録する場合と同様の方法を用いることができる。
【００３１】
リッチコンテンツ管理サーバ５０にリッチコンテンツ情報を登録した場合には、リッチコンテンツ管理サーバ５０に登録された（リッチコンテンツ管理サーバ５０が管理している）リッチコンテンツ情報を店舗が利用できるようにするために、登録したリッチコンテンツ情報に関するサーバ情報（例えば、リッチコンテンツ情報に関する商品の商品名情報、カテゴリ情報、リッチコンテンツ種別情報、当該リッチコンテンツ情報を管理しているリッチコンテンツ管理サーバを示すサーバ識別情報）をサーバ情報データベース７１ａに記憶させる必要がある。
リッチコンテンツ管理サーバ５０に登録したリッチコンテンツ情報に関するサーバ情報をサーバ情報データベース７１ａに記憶させる方法としては、係員等が、端末装置を用いてサーバ情報をサーバ検索サーバ７０に送信する方法を用いることもできるが、リッチコンテ管理サーバ５０が、サーバ情報をサーバ検索サーバ７０に送信する方法を用いるのが好ましい。例えば、リッチコンテンツ管理サーバ５０は、新しいリッチコンテンツ情報を登録すると、当該登録したリッチコンテンツ情報に関するサーバ情報をサーバ検索サーバ７０に送信するように構成する。これにより、係員の処理負担が軽減される。
【００３２】
次に、本実施の形態の、商品登録時の動作及び購入者がＷｅｂサイト（Ｗｅｂショップ）をアクセスした時の動作を、図１２〜図２５に示す表示画面及び図２７に示す動作フローを用いて説明する。なお、以下では、店舗端末装置１０には、商品情報管理サーバ２０が提供する商品情報管理Ｗｅｂサービスを利用するためのクライアントプログラムがインストールされているものとする。
【００３３】
店舗からＷｅｂショップに商品情報を掲載する場合（商品情報を登録する場合）には、店舗の担当者（以下、単に「店舗」という）は、例えば、店舗端末装置１０の表示手段に表示されているアイコン「Ｗｅｂショップ」を選択する。これにより、店舗端末装置１０は、商品情報管理サーバ２０に商品情報管理Ｗｅｂサービスの利用要求情報を送信する。
商品情報管理サーバ２０は、店舗端末装置１０から送信されたＷｅｂサービスの利用要求情報を受信すると、認証情報入力画面情報を店舗端末装置１０に送信する。
店舗端末装置１０は、商品情報管理サーバ２０から送信された認証情報入力画面情報を受信すると、例えば、図１２に示す［認証情報入力画面］２４０を店舗側表示手段に表示する。
店舗は、［認証情報入力画面］２４０で認証情報を入力する。例えば、店舗ＩＤ入力部２４０ａに店舗ＩＤ［ＡＡ１１１１］を、パスワード入力部２４０ｂにパスワード［＊＊＊＊＊＊］を入力した後、「確定」部２４０ｃを選択する。これにより、店舗端末装置１０は、店舗ＩＤとパスワードにより構成される認証情報を商品情報管理サーバ２０に送信する。
【００３４】
商品情報管理サーバ２０は、店舗端末装置１０から送信された店舗ＩＤとパスワードを用いて認証処理を行う。例えば、受信した店舗ＩＤとパスワードの組み合わせが、商品情報記憶装置３０の店舗情報データベース３０ｂに記憶されているか否かを判別する。
受信した店舗ＩＤとパスワードの組み合わせが店舗情報データベース３０ｂに記憶されている場合（認証がＯＫの場合）には、商品情報管理サーバ２０は、店舗端末装置１０にメニュー画面情報を送信する。これにより、店舗端末装置１０の店舗側表示手段には、例えば、図１３に示す［メニュー画面］２５０が表示される。図１３に示す［メニュー画面］２５０には、商品情報を登録する際に選択する「商品登録」部２５０ａ、店舗別の商品名一覧を表示させる場合に選択する「商品一覧」部２５０ｂ、店舗別の売上情報等の管理情報を表示させる際に選択する「管理情報表示」部２５０ｃが設けられている。
受信した店舗ＩＤとパスワードの組み合わせが店舗情報データベース３０ｂに記憶されていない場合（認証がＮＧの場合）には、商品情報管理サーバ２０は、店舗端末装置１０にＮＧ画面情報を送信する。これにより、店舗端末装置１０の表示手段には、パスワードが相違していることを示すＮＧ画面が表示される。
【００３５】
店舗は、商品情報の登録を行うため、メニュー画面２５０の「商品登録」部２５０ａを選択する。これにより、店舗端末装置１０は、商品情報管理サーバ２０に商品情報入力要求情報（商品登録画面情報送信要求情報)を送信する。（図２７の(1)参照）
商品情報管理サーバ２０は、店舗端末装置１０から送信された商品情報入力要求情報を受信すると、商品情報入力画面情報を店舗端末装置１０に送信する。（図２７の(2)参照）
店舗端末装置１０は、商品情報管理サーバ２０から送信された商品情報入力画面情報を受信すると、例えば、図１４に示す［商品登録画面］２６０を店舗側表示手段に表示する。［商品登録画面］２６０は、商品名情報表示部２６０ａ、コメント情報入力部２６０ｂ、写真情報入力部２６０ｃ、商品価格情報入力部２６０ｄ、カテゴリ情報（分類情報）入力部２６０ｅ、リッチコンテンツ情報入力部２６０ｆを有している。
店舗は、［商品登録画面］２６０で商品情報を入力する。例えば、商品名情報入力部２６０ａに商品名情報［電磁調理器用鍋］、コメント情報入力部２６０ｂにコメント情報、写真情報入力部２６０ｃに商品の写真情報、商品価格情報入力部２６０ｄに商品価格情報［２０００円］、カテゴリ情報入力部２６０ｅに商品のカテゴリ情報［オール電化グッズ］を入力する。
【００３６】
また、Ｗｅｂショップに当該商品のリッチコンテンツ情報を掲載する場合には、「リッチコンテンツ情報入力部」２６０ｆを選択する。
「リッチコンテンツ情報入力部」２６０ｆが選択されると、例えば、図１５に示す［リッチコンテンツ種別入力画面］２７０が表示手段に表示される。図１５に示す［リッチコンテンツ種別入力画面］２７０は、「動画」指示部２７０ａと「３Ｄ画像」指示部２７０ｂを有している。店舗は、［リッチコンテンツ種別入力画面］２７０でリッチコンテンツ情報の種別を選択する。
これにより、店舗端末装置１０は、検索情報を含むリッチコンテンツ情報検索要求情報を商品情報管理サーバ２０に送信する。（図２７の(3)参照）
検索情報としては、少なくとも商品名情報が用いられる、例えば、［商品登録画面］２６０で入力された情報、例えば、［商品登録画面］２６０の商品名入力部２６０ａに入力された商品名情報［電磁調理器用鍋］とカテゴリ入力部２６０ｅに入力されたカテゴリ情報［オール電化グッズ］と、［リッチコンテンツ種別入力画面］２７０で選択されたリッチコンテンツ種別情報を用いることができる。
あるいは、「リッチコンテンツ入力部」２６０ｆが選択された時に、検索情報入力画面を表示させ、検索情報入力画面の検索情報入力部に入力された情報を検索情報として用いることもできる。検索情報入力部に入力する情報としては、サーバ情報データベース７１ａに記憶されているサーバ情報に含まれている情報を用いる。例えば、サーバ情報データベース７１ａとしてＵＤＤＩレジストリを用いる場合には、ＵＤＤＩレジストリに記憶されている、Ｗｅｂサービス名情報、企業名情報、Ｗｅｂサービスの内容情報、Ｗｅｂサービスの分類情報、アドレス情報（ＩＰアドレスやＵＲＬ）、リッチコンテンツの種別情報、商品名情報等を用いることができる。
【００３７】
商品情報管理サーバ２０は、店舗端末装置１０から送信されたリッチコンテンツ情報検索要求情報を受信すると、受信したリッチコンテンツ情報検索要求情報に含まれている検索情報を含むリッチコンテンツ管理サーバ検索要求情報（サーバ検索要求情報）をサーバ検索サーバ７０に送信する。（図２７の(4)参照）
サーバ検索サーバ７０は、商品情報管理サーバ２０から送信されたリッチコンテンツ管理サーバ検索要求情報を受信すると、受信したリッチコンテンツ管理サーバ検索要求情報に含まれている検索情報に該当するサーバ識別情報をサーバ情報データベース７１ａから検索する。例えば、リッチコンテンツ管理サーバ検索要求情報に含まれている商品名情報、カテゴリ情報、リッチコンテンツ種別情報と同じ商品名情報、カテゴリ情報、リッチコンテンツ種別情報がサーバ情報として記憶されている、リッチコンテンツ管理サーバのサーバ識別情報を検索する。そして、検索したサーバ識別情報を商品情報管理サーバ２０に送信する。（図２７の(5)参照）
本実施の形態では、検索したリッチコンテンツ管理サーバのアドレス情報をサーバ識別情報として用いている。
【００３８】
商品情報管理サーバ２０は、サーバ検索サーバ７０から送信されたサーバ識別情報を受信すると、受信したサーバ識別情報で示されるリッチコンテンツ管理サーバ５０に対して、店舗端末装置１０が要求したリッチコンテンツ情報を当該店舗端末装置１０に送信することを指示する。例えば、店舗端末装置１０から送信されたリッチコンテンツ情報検索要求情報に含まれている検索情報と、当該店舗端末装置１０を示す端末装置識別情報（例えば、店舗端末装置のアドレス情報）を含むリッチコンテンツ情報送信要求情報を、サーバ検索サーバ７０から受信したサーバ識別情報で示されるリッチコンテンツ管理サーバ５０に送信する。（図２７の(6)参照）
サーバ検索サーバで複数のサーバ識別情報が検索された場合には、サーバ識別情報を順に選択し、選択したサーバ識別情報で示されるリッチコンテンツ管理サーバにリッチコンテンツ情報送信要求情報を送信する。
【００３９】
リッチコンテンツ管理サーバ５０は、商品情報管理サーバ２０から送信されたリッチコンテンツ情報送信要求情報を受信すると、受信したリッチコンテンツ情報送信要求情報に含まれている検索情報に該当するリッチコンテンツ情報をリッチコンテンツ情報データベース５１ａから読み出し、読み出したリッチコンテンツ情報を含むリッチコンテンツ表示画面情報を、受信したリッチコンテンツ情報送信要求情報に含まれている店舗端末装置識別情報で示される店舗端末装置１０に送信する。（図２７の(7)参照）
【００４０】
店舗端末装置１０は、リッチコンテンツ管理サーバ５０から送信されたリッチコンテンツ表示画面情報を受信すると、例えば、図１６に示す［リッチコンテンツ表示画面］２８０を店舗側表示手段に表示する。図１６に示す［リッチコンテンツ表示画面］２８０では、「リッチコンテンツ表示部」２８０ａにリッチコンテンツ情報が表示される。
店舗は、「リッチコンテンツ表示部」２８０ａに表示されるリッチコンテンツ情報を確認し、表示されたリッチコンテンツ情報が気にいらない場合には「ＮＥＸＴ」部２８０ｃを選択する。この場合、店舗端末装置１０は、商品情報管理サーバ２０に次候補送信要求情報を送信する。（図２７の(8)参照）
商品情報管理サーバ２０は、店舗端末装置１０から送信された次候補送信要求情報を受信すると、サーバ検索サーバ７０から受信したサーバ識別情報の中に未選択のサーバ識別情報があるか否かを判断する。そして、未選択のサーバ識別情報がある場合には、未選択のサーバ識別情報の中から任意のサーバ識別情報を選択し、選択したサーバ識別情報で示されるリッチコンテンツ管理サーバ５０に、前述したリッチコンテンツ情報送信要求情報を送信する。未選択のサーバ識別情報がない場合には、商品情報管理サーバ２０は、次候補の該当するリッチコンテンツ情報がないことを表示する画面の画面情報を店舗端末装置１０に送信する。あるいは、選択済みのサーバ識別情報で示されるリッチコンテンツ管理サーバにリッチコンテンツ情報送信要求情報を送信する。
なお、サーバ識別情報が複数検索された場合には、例えば、［リッチコンテンツ表示画面］２８０に、検索されたサーバ識別情報の数と、任意のサーバ識別情報で示されるリッチコンテンツ管理サーバが管理しているリッチコンテンツ情報を選択可能に表示するのが好ましい。
一方、店舗は、表示されたリッチコンテンツ情報を登録する場合には「ＯＫ」部２８０ｂを選択する。この場合、店舗端末装置１０は、例えば、図１４に示す［商品登録画面］２６０を表示手段に表示する。
そして、商品情報の入力が終了すると、店舗は、［商品登録画面］２６０の「確定」部２６０ｇを選択する。これにより、店舗端末装置１０は、［商品登録画面］２６０で入力された情報を含む商品情報登録要求情報を商品情報管理サーバ２０に送信する。（図２６の(9)参照）
なお、商品情報としては、少なくとも商品名情報が含まれていればよく、種々の情報を登録することができる。
【００４１】
商品情報管理サーバ２０は、店舗端末装置１０から送信された商品情報登録要求情報を受信すると、受信した商品情報登録要求情報に含まれている情報と、最新にリッチコンテンツ情報送信要求情報を送信したリッチコンテンツ情報管理サーバ５０を示すサーバ識別情報（例えば、アドレス情報）と、当該サーバ識別情報に基づいて（当該サーバ識別情報に対して）付与したリッチコンテンツ識別情報（リッチコンテンツＩＤ）を含む商品情報を、当該商品を示す商品識別情報（商品ＩＤ）に対応させて、商品情報記憶装置３０の商品情報データベース３０ａに記憶させる。この時、商品情報データベース３０ａには、商品情報の登録日時（例えば、商品情報管理サーバ２０が商品情報登録要求情報を受信した日時）も記憶させるのが好ましい。
【００４２】
なお、サーバ識別情報に基づいてリッチコンテンツ情報識別情報を付与する時期は、商品情報管理サーバ２０がサーバ検索サーバ７０からサーバ識別情報を受信した時点から、商品情報データベースに商品情報を記憶するまでの間であればよい。
また、商品情報データベース３０ａに記憶するサーバ識別情報やリッチコンテンツ情報識別情報は、商品情報管理サーバ２０がサーバ検索サーバ７０から受信して記憶しているサーバ識別情報や、商品情報管理サーバ２０が、受信したサーバ識別情報に基づいて付与して記憶しているリッチコンテンツ情報識別情報あるいは、商品情報管理サーバ２０が、商品情報を記憶する際に、受信したサーバ識別情報に基づいて付与したリッチコンテンツ情報識別情報を用いることができるが、店舗端末装置１０から受信したサーバ識別情報やリッチコンテンツ識別情報を用いることもできる。
店舗端末装置１０から受信したサーバ識別情報やリッチコンテンツ情報識別情報を用いる場合には、商品情報管理サーバ２０から、商品名情報と店舗端末装置識別情報とともに、受信したサーバ識別情報に基づいて付与したリッチコンテンツ情報識別情報を含むリッチコンテンツ情報送信要求情報を、受信したサーバ識別情報で示されるリッチコンテンツ管理サーバ５０に送信する。また、リッチコンテンツ管理サーバ５０から、リッチコンテンツ情報とともに、リッチコンテンツ情報識別情報とリッチコンテンツ管理サーバ５０を示すサーバ識別情報を、店舗端末装置識別情報で示される店舗端末装置１０に送信する。さらに、店舗端末装置１０から、商品名情報とともに、リッチコンテンツ情報識別情報とサーバ識別情報を含む商品情報登録要求情報を商品情報管理サーバ２０に送信する。商品情報管理サーバ２０は、商品情報登録要求情報に含まれている商品名情報、リッチコンテンツ情報識別情報、サーバ識別情報を商品情報として商品情報データベースに記憶する。
なお、サーバ識別情報とリッチコンテンツ情報識別情報を、商品情報管理サーバ２０から店舗端末装置１０に送信してもよい。
この方法を用いると、商品情報管理サーバ側でサーバ識別情報や商品関連情報識別情報を管理が簡単となり、処理負担が軽減される。
【００４３】
店舗が、商品情報を削除する場合あるいはＷｅｂショップに掲載している商品を確認する場合には、図１３に示す［メニュー画面］２５０で、「商品一覧」部２５０ｂを選択する。これにより、店舗端末装置１０は、商品情報管理サーバ２０に店舗別商品一覧情報送信要求情報を送信する。
商品情報管理サーバ２０は、店舗端末装置１０から送信された店舗別商品一覧情報送信要求情報を受信すると、店舗ＩＤ（図１２の［認証情報入力画面］２４０で入力された店舗ＩＤ）に対応する店舗がＷｅｂショップに掲載している商品名情報を商品情報データベース３０ａから検索する。そして、検索した商品名情報が表示されている店舗別商品一覧画面の画面情報（店舗別商品一覧表示画面情報）を店舗端末装置１０に送信する。
店舗端末装置１０は、商品情報管理サーバ２０から送信された店舗別商品一覧情報画面情報を受信すると、例えば、図１７に示す［店舗別商品一覧表示画面］２９０を店舗側表示手段に表示する。図１７に示す［店舗別商品一覧表示画面］２９０は、店舗名情報「Ａ店」が表示される店舗名表示部２９０ａ、商品名情報が表示される商品名表示部２９０ｂ、各商品情報の登録日時情報が表示される登録日時表示部２９０ｃを有している。
店舗は、登録されている商品を削除する場合には、［店舗別商品一覧表示画面］２９０に表示されている商品名を選択し、「削除」部２９０ｄを選択する。これにより、店舗端末装置１０は、選択された商品を示す商品識別情報（例えば、商品名情報や商品ＩＤ）を含む商品情報削除要求情報を商品情報管理サーバ２０に送信する。
商品情報管理サーバ２０は、店舗端末装置１０から送信された商品情報削除要求情報を受信すると、受信した商品情報削除要求情報に含まれている商品識別情報に対応する商品情報を商品情報データベース３０ａから削除する。
なお、図１７に示す［店舗別商品一覧表示画面］２９０の「登録」部２９０ｅが選択されると、店舗端末装置１０は、前述した商品登録画面送信要求情報を商品情報管理サーバ２０に送信する。これにより、店舗端末装置１０の表示手段には、図１４に示す［商品登録画面］２６０が表示される。
また、店舗が、図１７に示す［店舗別商品一覧表示画面］２９０の「戻る」部２９０ｆを選択すると、店舗端末装置１０の店舗側表示手段には、図１３に示す［メニュー画面］２５０が表示される。
【００４４】
以上のようにして、商品情報データベース３０ａに、商品名情報、カテゴリ情報、リッチコンテンツ情報種別情報、サーバ識別情報（サーバのアドレス情報）、リッチコンテンツ識別情報（リッチコンテンツＩＤ）が記憶される（登録される）。
ところで、リッチコンテンツ情報を管理しているリッチコンテンツ情報管理サーバ５０のアドレス情報が変更される場合がある。この場合、商品情報データベース３０ａに記憶されているサーバのアドレス情報を変更しないと、店舗が登録したリッチコンテンツ情報を利用することができなくなる。
ここで、前述したように、Ｗｅｂサービスに関する情報はＵＤＤＩレジストリに登録される。
したがって、定期的に、商品情報管理サーバ２０からサーバ検索サーバ７０に、商品情報データベース３０ａに記憶されている商品名情報等の検索情報を含むリッチコンテンツ管理サーバ検索要求情報を送信することによって、商品情報データベー３０ａに、当該商品名情報に対応して記憶されているリッチコンテンツ管理サーバのアドレス情報の変更を判別し、変更することができる。
これにより、より魅力のあるＷｅｂサイトを開設することができる。
【００４５】
以上のようにして、商品情報データベース３０ａに商品情報が記憶されている（登録されている）状態で、購入者（商品者）が購入者端末装置８０を用いてＷｅｂショップに掲載されている商品情報を閲覧する場合の動作を以下に説明する。
購入者は、Ｗｅｂサーバ４０が管理しているＷｅｂサイト（Ｗｅｂショップ）にアクセスする場合には、購入者端末装置８０の入力手段により、Ｗｅｂサイト（Ｗｅｂショップ）のＷｅｂサイト識別情報（例えば、ＷｅｂサイトのＵＲＬ）を入力する。これにより、購入者端末装置８０は、入力されたＷｅｂサイト識別情報を含む商品一覧情報送信要求情報をインターネット１００に送信する。（図２７の(11)参照）
Ｗｅｂサーバ４０は、自己が管理しているＷｅｂサイトのＷｅｂサイト識別情報を含む商品一覧情報送信要求情報を受信すると、Ｗｅｂサイトに掲載している商品の商品一覧情報の送信を要求する商品一覧情報送信要求情報を商品情報管理サーバ２０に送信する。（図２７の(12)参照）
商品情報管理サーバ２０は、Ｗｅｂサーバ４０から送信された商品一覧情報送信要求情報を受信すると、Ｗｅｂサーバ４０が管理しているＷｅｂサイトに掲載している商品の商品名情報を商品情報データベース３０ａから読み出す。そして、読み出した商品名情報を含む商品一覧情報をＷｅｂサーバ４０に送信する。（図２７の(13)参照）
Ｗｅｂサーバ４０は、商品情報管理サーバ２０から送信された商品一覧情報を受信すると、受信した商品一覧情報に含まれている商品名情報を表示する商品一覧画面情報を、Ｗｅｂサイト識別情報を含む商品一覧情報送信要求情報を送信した購入者端末装置８０に送信する。（図２７の(14)参照）
この場合、Ｗｅｂサーバ４０は、購入者端末装置８０に設けられているＷｅｂブラウザが処理可能な形式の商品一覧画面情報を送信する。
【００４６】
購入者端末装置８０は、Ｗｅｂサーバ４０から送信された商品一覧画面情報を受信すると、例えば、図１８に示す［商品一覧画面］３００を店舗側表示手段に表示する。図１８に示す［商品一覧画面］３００は、Ｗｅｂサイト名情報（Ｗｅｂショップ名情報）［○○○ショップ］が表示されるＷｅｂサイト（ｗｅｂショップ）表示部３００ａ、Ｗｅｂサイトに掲載されている（Ｗｅｂサイトで提供している）商品のカテゴリを示すカテゴリ情報が表示されるカテゴリ表示部３００ｂ、最新に登録された８つの商品の商品名情報が表示される新着商品表示部３００ｃを有している。購入者端末装置８０の端末側表示手段に図１８に示す［商品一覧画面］３００を表示する場合には、商品情報管理サーバ２０からＷｅｂサーバ４０に、商品名情報と、カテゴリ情報（例えば、カテゴリＩＤ）を送信し、Ｗｅｂサーバ４０から購入者端末装置８０に商品名情報とカテゴリ情報を含む商品一覧画面情報を送信する。
新着商品表示部３００ｃに表示される商品名情報は、商品情報が登録される毎に変更される。例えば、新着の商品１〜８の中で商品１に係る商品情報の登録時期が最も古い状態で、商品９に係る商品情報が登録されると、新着商品として商品１〜８が表示されている［商品一覧画面］３００Ａから、新着商品として商品２〜９が表示されている［商品一覧画面］３００Ｂに変更される。
なお、商品情報管理サーバ２０からＷｅｂサーバ４０に、商品名情報に代えて商品ＩＤあるいは商品ＩＤと商品名情報を送信することもできる。商品ＩＤのみを送信する場合には、Ｗｅｂサーバ４０に商品ＩＤに対応する商品名情報を記憶させる。また、カテゴリ情報に代えてカテゴリＩＤあるいはカテゴリＩＤとカテゴリ情報を送信することもできる。カテゴリＩＤのみを送信する場合には、カテゴリＩＤに対応するカテゴリ情報をＷｅｂサーバ４０に記憶させる。
【００４７】
購入者が、［商品一覧画面］３００のカテゴリ表示部３００ｂに表示されているカテゴリ情報のいずれかを選択すると、購入者端末装置８０は、選択されたカテゴリ情報を含むカテゴリ別商品一覧情報送信要求情報をＷｅｂサーバ４０に送信する。（図２７の(15)参照）
Ｗｅｂサーバ４０は、購入者端末装置８０から送信されたカテゴリ別商品一覧情報送信要求情報を受信すると、受信したカテゴリ別商品一覧情報送信要求情報に含まれているカテゴリ情報を含むカテゴリ別商品一覧情報送信要求情報を商品情報管理サーバ２０に送信する。（図２７の(16）参照)
商品情報管理サーバ２０は、Ｗｅｂサーバ４０から送信されたカテゴリ別商品一覧情報送信要求情報を受信すると、受信したカテゴリ別商品一覧情報送信要求情報に含まれているカテゴリ情報が記憶されている商品情報の商品名情報を商品情報データベース３０ａから読み出す。そして、読み出した商品名情報を含むカテゴリ別商品一覧情報をＷｅｂサーバ４０に送信する。（図２７の(17)参照）
Ｗｅｂサーバ４０は、商品情報管理サーバ２０から送信されたカテゴリ別商品一覧情報を受信すると、受信したカテゴリ別商品一覧情報に含まれている商品名情報が表示されるカテゴリ別商品一覧画面のカテゴリ別商品一覧画面情報を、カテゴリ別商品一覧情報送信要求情報を送信した購入者端末装置８０に送信する。（図２７の(18)参照）
【００４８】
購入者端末装置８０は、Ｗｅｂサーバ４０から送信されたカテゴリ別商品一覧画面情報を受信すると、例えば、図１９に示す［カテゴリ別商品一覧画面］３１０を表示手段に表示する。図１９に示す［カテゴリ別商品一覧画面］３１０は、カテゴリ情報［オール電化グッズ］が表示される選択カテゴリ表示部３１０ａ、Ｗｅｂサイトに掲載されている商品のカテゴリを示すカテゴリ情報が表示されるカテゴリ表示部３１０ｂ、選択されたカテゴリの商品の商品名情報が表示される商品名表示部３１０ｃを有している。
購入者端末装置８０の購入者側表示手段に図１９に示す［カテゴリ別商品一覧画面］３１０を表示させる場合には、商品情報管理サーバ２０からＷｅｂサーバ４０に、商品名情報（例えば、商品名ＩＤ）と、カテゴリ情報（例えば、カテゴリＩＤ）を送信し、Ｗｅｂサーバ４０から購入者端末装置８０に商品名情報とカテゴリ情報を含むカテゴリ別商品一覧画面情報を送信する。
商品名表示部３１０ｃに表示される商品名情報は、商品情報が登録される毎に変更される。例えば、カテゴリ「オール電化グッズ」の商品ａ〜ｆが登録されている状態で、カテゴリ「オール電化グッズ」の商品ｇが登録されると、商品ａ〜ｆが表示されている［カテゴリ別商品一覧画面］３１０Ａから、商品ａ〜ｇが表示されている［カテゴリ別商品一覧画面］３１０Ｂに変更される。
【００４９】
購入者は、Ｗｅｂサイト（Ｗｅｂショップ）に掲載されている商品の商品情報を取得する場合には、購入者端末装置８０の表示手段に［商品一覧画面］３００（図１８）あるいは［カテゴリ別商品一覧画面］３１０（図１９）が表示されている状態で、所望の商品名を選択する。これにより、購入者端末装置８０は、選択された商品名に対応する商品名情報（あるいは、商品ＩＤ）を含む商品情報送信要求情報をＷｅｂサーバ４０に送信する。（図２７の(19)参照）
Ｗｅｂサーバ４０は、購入者端末装置８０から送信された商品情報送信要求情報を受信すると、受信した商品情報画面情報に含まれている商品名情報（あるいは、商品ＩＤ）を含む商品情報送信要求情報を商品情報管理サーバ２０に送信する。（図２７の(20)参照）
商品情報管理サーバ２０は、Ｗｅｂサーバ４０から送信された商品情報送信要求情報を受信すると、受信した商品情報送信要求情報に含まれている商品名情報（あるいは、商品ＩＤ）に対応する商品情報を商品情報データベース３０ａから読み出す。例えば、商品名情報、商品金額情報、コメント情報、写真情報、リッチコンテンツ識別情報（リッチコンテンツＩＤ）を含む商品情報データベース３０ａから読み出す。そして、読み出した商品情報をＷｅｂサーバ４０に送信する。（図２７の(21)参照）
【００５０】
Ｗｅｂサーバ４０は、商品情報管理サーバ２０から送信された商品情報を受信すると、受信した商品情報を含む商品画面情報を、商品名情報（あるいは、商品ＩＤ）を含む商品情報送信要求情報を送信した購入者端末装置８０に送信する。（図２７の(22)参照）
購入者端末装置８０は、Ｗｅｂサーバ４０から送信された商品画面情報を受信すると、例えば、図２０に示す［商品画面］３２０を購入者側示手段に表示する。図２０に示す［商品画面］３２０は、商品名情報「電磁調理器用鍋」が表示される商品名情報表示部３２０ａ、電磁調理器用鍋の写真情報が表示される写真情報表示部３２０ｂ、電磁調理器用鍋に関するコメント情報が表示されるコメント情報表示部３２０ｃ、商品金額情報「２０００円」が表示される商品金額情報表示部３２０ｄ、リッチコンテンツ情報を表示させるためのリッチコンテンツ指示部３２０ｅを有している。
【００５１】
購入者は、商品のリッチコンテンツ情報（例えば、動画画像や３Ｄ画像）を見たい場合には、［商品画面］３２０のリッチコンテンツ指示部３２０ｅを選択する。
これにより、購入者端末装置８０は、リッチコンテンツＩＤを含むリッチコンテンツ情報送信要求情報をＷｅｂサーバ４０に送信する。（図２７の(23)参照）
Ｗｅｂサーバ４０は、購入者端末装置８０から送信されたリッチコンテンツ情報送信要求情報を受信すると、受信したリッチコンテンツ情報送信要求情報に含まれているリッチコンテンツＩＤを含むリッチコンテンツ情報送信要求情報を商品情報管理サーバ２０に送信する。（図２７の(24)参照）
【００５２】
商品情報管理サーバ２０は、Ｗｅｂサーバ４０から送信されたリッチコンテンツ情報送信要求情報を受信すると、受信したリッチコンテンツ情報送信要求情報に含まれているリッチコンテンツＩＤに対応する商品情報とサーバ識別情報（例えば、サーバのアドレス情報）を商品情報データベース３０ａから読み出す。ここで、商品情報データベース３０ａから読み出す商品情報は、商品情報登録時に、店舗が選択したリッチコンテンツ情報を検索するために用いられる。したがって、商品情報データベース３０ａから読み出す商品情報には、少なくとも商品名情報が含まれている。なお、商品情報データベースから読み出す検索情報が多い方が、店舗が登録したリッチコンテンツ情報をより正確に検索することができる。したがって、商品情報データベース３０ａからは、商品名情報だけでなく、カテゴリ情報やリッチコンテンツ種別情報等の多くの商品情報を読み出して、検索情報として用いるのが好ましい。
そして、商品情報管理サーバ２０は、商品情報データベース３０ａから読み出した商品情報（少なくとも、商品名情報を含む商品情報）とサーバ識別情報を、Ｗｅｂサーバ４０に送信する。（図２７の(25)参照）
Ｗｅｂサーバ４０は、商品情報管理サーバ２０から送信された少なくとも商品名情報を含む商品情報とサーバ識別情報を受信すると、受信した、少なくとも商品名情報を含む商品情報と、リッチコンテンツ情報送信要求情報を送信した購入者端末装置８０を示す購入者端末装置識別情報（例えば、購入者端末装置８０のアドレス情報）を含むリッチコンテンツ情報送信要求情報を、商品情報管理サーバ２０から受信したサーバ識別情報で示されるサーバ（この場合、受信したアドレス情報を有するリッチコンテンツ管理サーバ５０）に送信する。（図２７の(26)参照）
【００５３】
リッチコンテンツ管理サーバ５０は、Ｗｅｂサーバ４０から送信されたリッチコンテンツ情報送信要求情報を受信すると、受信したリッチコンテンツ情報送信要求情報に含まれている商品情報（少なくとも、商品名情報）に対応するリッチコンテンツ情報をリッチコンテンツ情報データベース５１ａから読み出す。そして、読み出したリッチコンテンツ情報を含むリッチコンテンツ画面情報を、Ｗｅｂサーバ４０から受信したリッチコンテンツ情報送信要求情報に含まれているアドレス情報を有する購入者端末装置８０に送信する。（図２７の(27)参照）
購入者端末装置８０は、リッチコンテンツ管理サーバ５０から送信されたリッチコンテンツ画面情報を受信すると、例えば、図２１に示す［リッチコンテ画面］３３０を表示手段に表示する。図２１に示す［リッチコンテンツ画面］３３０は、リッチコンテンツ画像の内容「電磁調理器の省エネ利用法」が表示される内容表示部３３０ａ、「電磁調理器の省エネ利用法の動画」（リッチコンテンツ情報）が表示されているリッチコンテンツ表示部３３０ｂを有している。
なお、リッチコンテンツ情報の登録時に、サーバ検索サーバ７０によって検索された複数のサーバ識別情報を登録する場合には、登録されているサーバ識別情報で示されるリッチコンテンツ管理サーバが管理しているリッチコンテンツ情報を順次表示するように構成するのが好ましい。例えば、購入者が［商品画面］３２０のリッチコンテンツ指示部３２０ｅを選択すると、登録されているサーバ識別情報の中から選択したサーバ識別情報で示されるリッチコンテンツ管理サーバが管理しているリッチコンテンツ情報を表示し、購入者が次候補を要求すると、未選択のサーバ識別情報の中からサーバ識別情報で示されるリッチコンテンツ管理サーバが管理しているリッチコンテンツ情報を表示するように構成する。
購入者が［リッチコンテンツ画面］３３０の「戻る」部３３０ｃを選択すると、購入者端末装置８０の表示手段には、図２０に示す［商品画面］３２０が表示される。
【００５４】
購入者は、［商品画面］３２０に表示されている商品を購入する場合は、「買い物かご」部（購入指示部）３２０ｆを選択する。これにより、購入者端末装置８０から、Ｗｅｂサーバ４０を介して商品情報管理サーバ２０に、商品名情報を含む購入要求情報が送信される。
また、購入者は、購入を終了する場合には、［商品画面］３２０に表示されている「買い物終了」部（購入終了指示部）３２０ｇを選択する。これにより、購入者端末装置８０からＷｅｂサーバ４０を介して商品情報管理サーバ２０に購入終了要求情報が送信される。
そして、購入者端末装置８０の購入者側表示手段には、例えば、図２２に示す［買い物かご画面］３４０が表示される。図２２に示す［買い物かご画面］３４０では、購入情報表示部３４０ａに、購入者が購入する商品名情報、購入個数情報、購入金額情報等の購入情報が表示される。
購入者が、［買い物かご画面］３４０に表示されている「注文画面に進む」部（注文指示部）３４０ｂを選択すると、購入者端末装置８０から、Ｗｅｂサーバ４０を介して商品情報管理サーバ２０に注文要求情報が送信される。
そして、購入者端末装置８０の購入者側表示手段には、例えば、図２３に示す［注文画面］３５０が表示される。［注文画面］３５０は、購入した商品の配達先を入力する「配達先入力部」３５０ａと、購入金額の支払い方法を入力する「支払い方法入力部」３５０ｂを有している。
なお、［買い物かご画面］３４０の「戻る」部３４０ｃを選択すると、購入者端末装置８０の購入者側表示手段には、［カテゴリ別商品一覧画面］３１０あるいは［商品一覧画面］３００が表示される。
【００５５】
購入者が［注文画面］３５０の「支払い方法表示部」３５０ｂに表示されている支払い方法のいずれかを選択すると、購入者端末装置８０の購入者側表示手段に、決済方法に対応した決済情報を入力する、［決済情報入力画面］３６０が表示される。例えば、支払い方法として「クレジットカード」を選択すると、図２４に示す［決済情報入力画面］３６０が表示される。図２４に示される［決済情報入力画面］は、カードの種類情報を入力する「カード種類入力部」３６０ａ、カードの番号情報を入力する「カード番号入力部」３６０ｂ、カードの名義情報を入力する「カード名義入力部」３６０ｃを有している。
［決済情報入力画面］３６０の「確定」部３６０ｄを選択すると、購入者端末装置８０の表示手段には、［注文画面］３５０及び［決済情報入力画面］３６０で入力された情報を確認するための［確認画面］（図示省略）が表示される。そして、［確認画面］の「確認」部を選択すると、商品の購入が終了し、購入者端末装置８０の表示手段には、例えば、図２５に示す［終了画面］３７０が表示される。
なお、決済に関する処理は、決済サーバによって９０によって実行され、決済情報（商品の購入に対する購入者に請求される購入代金、商品の販売に対して店舗に支払う売上金、リッチコンテンツ情報の利用に対するリッチコンテンツ管理事業者やリッチコンテンツ作成事業者に支払う使用料等）は決済情報記憶装置９１の決済情報データベース９１ａに記憶される。
なお、購入者が「買い物かご」に入れた買い物情報、購入した商品に関する購入情報、決済方法に関する決済情報の管理は、Ｗｅｂサーバ４０、商品情報管理サーバ２０、決済サーバ８０等のいずれで行ってもよい。
また、購入者が購入した商品名、金額、個数等の購入情報を店舗別あるいは購入者別に、商品情報記憶装置３０の売上情報データベース３０ｄに記憶する。
この場合、各店舗は、図１３に示す［メニュー画面］２５０に表示されている「管理情報表示」部２５０ｃを選択することによって、店舗別の売上情報を得ることができる。
【００５６】
以上のように、本実施の形態では、店舗は、Ｗｅｂサイト（Ｗｅｂショップ）を開設しているＷｅｂサイト運営会社が管理している商品情報管理サーバ２０に、自己が販売する商品の商品情報を登録するだけでよいため、Ｗｅｂサイトの運用に関する専門的知識を必要としない。
また、複数の店舗が提供する商品情報を共通のＷｅｂサイトに掲載するため、各店舗が個々にＷｅｂサイトを開設する場合に比べて、品揃えが豊富な、魅力あるＷｅｂサイトを開設することができる。
また、リッチコンテンツ管理サーバ５０が管理しているリッチコンテンツ情報をサーバ検索サーバ７０により検索可能とし、店舗が、自己が提供する商品のリッチコンテンツ情報としてリッチコンテンツ管理サーバ５０が管理しているリッチコンテンツ情報を用いることができるように構成している。これにより、店舗は、リッチコンテンツ情報を作成する手間や、リッチコンテンツ作成事業者を検索する手間をかけることなく、自己が提供する商品に関するリッチコンテンツ情報を容易に得ることができ、リッチコンテンツ情報を用いた効果的な宣伝を行うことができる。Ｗｅｂサイト運営管理者は、Ｗｅｂサイト側の商品情報記憶装置３０にリッチコンテンツ情報を記憶させる必要がないため、Ｗｅｂサイトの管理費の増加を抑制することができる。
また、本発明では、商品情報管理サーバの商品情報管理処理、リッチコンテンツ管理サーバのリッチコンテンツ情報管理処理、リッチコンテンツ作成サーバのリッチコンテンツ情報作成処理をＷｅｂサービスとして提供するため、リッチコンテンツ管理サーバが管理しているリッチコンテンツ情報をＷｅｂサイトに掲載可能とする本発明を容易に構築することができる。さらに、店舗端末装置での入力操作も容易となる。
【００５７】
第１の実施の形態では、商品情報管理サーバ２０と、Ｗｅｂサーバ４０を設けたが、商品情報管理サーバとＷｅｂサーバを兼用させることもできる。
商品情報管理サーバとＷｅｂサーバを兼用させた第２の実施の形態を以下に説明する。
第２の実施の形態の概略構成図を図２８に示す。
本実施の形態では、商品情報管理サーバ５２０に、商品情報管理手段５２０ａとＷｅｂサイト管理手段５２０ｂを設けることにより、商品情報管理サーバにＷｅｂサーバの処理機能を持たせている。その他の構成は、第１の実施の形態と同様である。
また、本実施の形態の動作を図２９に示す。図２９に示す動作フローから明らかなように、本実施の形態では、第１の実施の形態における、Ｗｅｂサーバを介した商品情報管理サーバ間での情報の送受信が省略されている。
本実施の形態では、購入者端末装置からの要求情報は商品情報管理サーバ５２０で受信され、購入者端末装置への画像情報は商品情報管理サーバ５２０から送信され、リッチコンテンツ管理サーバへの要求情報は商品情報管理サーバ５２０から送信される。
本実施の形態を用いることにより、第１の実施の形態に比べて少ない処理数で、第１の実施の形態と同様の効果を達成することができる。
【００５８】
また、第１の実施の形態では、リッチコンテンツ管理サーバと、リッチコンテンツ作成サーバを別々に設けたが、リッチコンテンツ管理サーバとリッチコンテンツ作成サーバを兼用させることもできる。
リッチコンテンツ管理サーバとリッチコンテンツ作成サーバを兼用させた第３の実施の概略構成図を図３０に示す。
本実施の形態では、リッチコンテンツ管理サーバ６５０にリッチコンテンツ管理手段６５０ａとリッチコンテンツ作成手段６５０ｂを設けることにより、リッチコンテンツ管理サーバにリッチコンテンツ作成サーバの処理機能を持たせ、また、商品情報管理サーバ６２０に、商品情報管理手段６２０ａとＷｅｂサイト管理手段６２０ｂを設けることにより、商品情報管理サーバにＷｅｂサーバの処理機能を持たせている。
本実施の形態では、リッチコンテンツ情報の作成処理及びリッチコンテンツ情報の登録処理はリッチコンテンツ情報管理サーバ６５０で実行され、購入者端末装置からの要求情報は商品情報管理サーバ６２０で受信され、購入者端末装置への画面情報は商品情報管理サーバ６２０から送信され、リッチコンテンツ管理サーバへの要求情報は商品情報管理サーバ６２０から送信される。
本実施の形態を用いることにより、第１及び第２の実施の形態に比べて少ない処理数で、第１の実施の形態と同様の効果を達成することができる。
【００５９】
本発明は、実施の形態に限定されず、種々の変更、追加、削除が可能である。
例えば、各データベースの構成は種々変更可能である。
また、リッチコンテンツ管理サーバが管理しているリッチコンテンツ情報を検索する検索情報としては、少なくとも商品名情報を用いていればよいが、カテゴリ情報、リッチコンテンツ種別情報等も用いてもよい。この場合には、より適切なリッチコンテンツ情報を検索することができる。
また、店舗端末装置１０や購入者端末装置８０の表示手段に表示する表示画面の構成や表示画面に表示する情報の種類等は適宜変更可能である。
また、リッチコンテンツ情報を用いる場合について説明したが、本発明は、商品関連情報管理サーバが管理している種々の商品関連情報を用いる場合に適用することができる。
また、各Ｗｅｂサービスを利用するためのＷｅｂサービス用文章処理手段やＷｅｂサービス用メッセージ処理手段の構成（記述言語やメッセージフォーマット等）は適宜変更可能である。
【図面の簡単な説明】
【００６０】
【図１】本発明の第１の実施の形態の概略構成図である。
【図２】リッチコンテンツ情報をリッチコンテンツ情報記憶装置に記憶させるための構成を示す図である。
【図３】商品情報データベースの実施例を示す図である。
【図４】店舗情報データベースの実施例を示す図である。
【図５】会員情報データベースの実施例を示す図である。
【図６】売上情報データベースの実施例を示す図である。
【図７】リッチコンテンツ情報データベースの実施例を示す図である。
【図８】サーバ情報データベースの実施例を示す図である。
【図９】［リッチコンテンツ種別入力画面］の実施例を示す図である。
【図１０】［確認画面］の実施例を示す図である。
【図１１】［リッチコンテンツ登録画面］の実施例を示す図である。
【図１２】［認証情報入力画面］の実施例を示す図である。
【図１３】［メニュー画面］の実施例を示す図である。
【図１４】［商品登録画面］の実施例を示す図である。
【図１５】［リッチコンテンツ種別入力画面］の実施例を示す図である。
【図１６】［リッチコンテンツ表示画面］の実施例を示す図である。
【図１７】［店舗別商品一覧画面］の実施例を示す図である。
【図１８】［商品一覧画面］の実施例を示す図である。
【図１９】［カテゴリ別商品一覧画面］の実施例を示す図である。
【図２０】［商品情報画面］の実施例を示す図である。
【図２１】［リッチコンテンツ表示画面］の実施例を示す図である。
【図２２】［買い物かご表示画面］の実施例を示す図である。
【図２３】［注文画面］の実施例を示す図である。
【図２４】［決済情報入力画面］の実施例を示す図である。
【図２５】［終了画面］の実施例を示す図である。
【図２６】本発明の第１の実施の形態のリッチコンテンツ情報を登録する際の動作を説明する動作フロー図である。
【図２７】本発明の第１の実施の形態の商品情報登録時及び購入者アクセス時の動作を説明するための動作フロー図である。
【図２８】本発明の第２の実施の形態の概略構成図である。
【図２９】本発明の第２の実施の形態の商品情報登録時及び購入者アクセス時の動作を説明するための動作フロー図である。
【図３０】本発明の第３の実施の形態の概略構成図である。
【符号の説明】
【００６１】
１０、６１０  店舗端末装置
２０、５２０、６２０  商品情報管理サーバ
３０、５３０、６３０  商品情報記憶装置
４０  Ｗｅｂサーバ
５０、６５０  リッチコンテンツ管理サーバ
５１、６５１  リッチコンテンツ情報記憶装置
６０  リッチコンテンツ作成サーバ
７０  サーバ検索サーバ
７１  サーバ情報記憶装置
８０  購入者端末装置
９０  決済サーバ
９１  決済情報記憶装置
１００  インターネット
１１０  リッチコンテンツ事業者端末装置
【図１】
2006119964.tif 000003
【図２】
2006119964.tif 000004
【図３】
2006119964.tif 000005
【図４】
2006119964.tif 000006
【図５】
2006119964.tif 000007
【図６】
2006119964.tif 000008
【図７】
2006119964.tif 000009
【図８】
2006119964.tif 000010
【図９】
2006119964.tif 000011
【図１０】
2006119964.tif 000012
【図１１】
2006119964.tif 000013
【図１２】
2006119964.tif 000014
【図１３】
2006119964.tif 000015
【図１４】
2006119964.tif 000016
【図１５】
2006119964.tif 000017
【図１６】
2006119964.tif 000018
【図１７】
2006119964.tif 000019
【図１８】
2006119964.tif 000020
【図１９】
2006119964.tif 000021
【図２０】
2006119964.tif 000022
【図２１】
2006119964.tif 000023
【図２２】
2006119964.tif 000024
【図２３】
2006119964.tif 000025
【図２４】
2006119964.tif 000026
【図２５】
2006119964.tif 000027
【図２６】
2006119964.tif 000028
【図２７】
2006119964.tif 000029
【図２８】
2006119964.tif 000030
【図２９】
2006119964.tif 000031
【図３０】
2006119964.tif 000032